(57)【要約】  画像再生／更新制御手段（７）において、データ受信手段（６）にて配信装置ＴＡから受信した同期調整データ（ＳＡＤ）から作成した同期調整信号（ＳＡＳ）と、画像表示手段（８）に出力する画像表示制御信号（ＨＣ）との位相差を算出し、その位相差に応じてその次以降の画像表示制御信号（ＨＣ）の周期を増減させ、その位相差を少なくすることにより、複数の表示装置間の画像更新タイミングを調整する。複数の表示装置での画像更新を一定の許容範囲内で同期させることができる。
2012077392.tif 000002
【特許請求の範囲】
【請求項１】
配信装置と複数の表示装置がネットワークを介して接続されるマルチ画面表示システムであって、
前記配信装置が、
システムの基準時刻を生成するシステム基準時計と、
画像データを格納する記憶手段と、
前記記憶手段より読み出した画像データに、前記システム基準時計で生成された前記基準時刻より再生制御情報を生成して、付加し、再生制御情報付き画像データを生成するとともに、前記システム基準時計で生成された前記基準時刻から再生画像の更新タイミングを調整するための同期調整データを生成するデータ生成手段と、
前記再生制御情報付き画像データと前記同期調整データをネットワーク経由で配信するデータ配信手段と
を備え、
前記複数の表示装置の各々が、
前記ネットワーク経由で前記配信装置の前記データ配信手段から配信された前記再生制御情報付き画像データ、及び前記同期調整データを受信し、前記同期調整データより同期調整信号を生成するデータ受信手段と、
前記データ受信手段で受信された前記再生制御情報付き画像データに含まれる前記再生制御情報、及び前記同期調整信号に基づき、画像の再生／更新処理を行って再生画像を出力し、画像更新タイミングを決定する画像表示制御信号を生成する画像再生／更新制御手段と、
前記画像再生／更新制御手段より出力された前記再生画像を前記画像表示制御信号のタイミングで表示する画像表示手段と
を備え、
前記画像再生／更新制御手段は、前記データ受信手段から出力される前記同期調整信号と、前記画像表示手段に出力する前記画像表示制御信号との位相差から、それ以降の前記画像表示制御信号の周期を増減させ、前記位相差を少なくするように制御することにより、複数の前記表示装置間の画像更新タイミングを合わせること
を特徴とするマルチ画面表示システム。
【請求項２】
前記画像表示制御信号は、垂直同期信号及び水平同期信号の少なくとも一方を含むこと
を特徴とする請求項１に記載のマルチ画面表示システム。
【請求項３】
前記表示装置の各々は、局部クロックを発生する局部クロック生成手段を有し、
前記表示装置の各々の前記画像再生／更新制御手段は、当該表示装置内の前記局部クロック生成手段により生成される前記局部クロックを元に前記画像表示制御信号を生成することを特徴とする請求項１又は２に記載のマルチ画面表示システム。
【請求項４】
前記画像再生／更新制御手段は、前記局部クロックの周波数を増減させることで、前記画像表示制御信号の周期を増減させることを特徴とする請求項３に記載のマルチ画面表示システム。
【請求項５】
前記表示装置の各々の前記画像再生／更新制御手段は、当該表示装置内の前記局部クロック生成手段により生成される前記局部クロックをカウントする周期カウンタと、
前記局部クロック生成手段を制御する局部クロック制御手段とを有し、
前記局部クロック制御手段は、前記同期調整信号の入力時の前記周期カウンタのカウント値から、前記配信装置と当該表示装置とのクロックの位相差を判定し、前記局部クロックの周波数を制御する
ことを特徴とする請求項４に記載のマルチ画面表示システム。
【請求項６】
前記局部クロック生成手段は、制御電圧の増減により、発振周波数が増減可能な電圧制御発振器で構成され、
前記局部クロック制御手段は、前記電圧制御発振器に対して供給される前記制御電圧を増減することにより、前記周波数の増減を行う
ことを特徴とする請求項５に記載のマルチ画面表示システム。
【請求項７】
前記局部クロック制御手段は、画像再生／更新処理前の一定期間において、前記同期調整信号の入力時の前記周期カウンタのカウント値に基づいて、前記電圧制御発振器の制御電圧の最大値、及び最小値を求め、該最大値及び最小値に基づいて、制御電圧の上限値、及び下限値を定め、画像再生／更新処理時の前記制御電圧が前記下限値よりも小さくなることがないように、或いは前記上限値よりも大きくなることがないように制御を行う
ことを特徴とする請求項６に記載のマルチ画面表示システム。
【請求項８】
前記表示装置の各々の前記画像表示制御信号の各周期に発生される前記局部クロックの数を増減することで、前記画像表示制御信号の周期を増減させることを特徴とする請求項３に記載のマルチ画面表示システム。
【請求項９】
前記画像表示制御信号の各周期中に発生されるクロックの数の増減が、水平ブランキング期間中の無効画素、又は垂直ブランキング期間内の無効ラインに対応するクロックの数の増減により行われる
ことを特徴とする請求項８に記載のマルチ画面表示システム。
【請求項１０】
前記画像表示制御信号は、垂直同期信号を含み、
前記同期調整信号に対して前記垂直同期信号が第１の所定値以上進んでいる場合、前記画像再生／更新制御手段は、
前記画像表示制御信号の周期を増加させ、
前記同期調整信号に対して前記垂直同期信号が第２の所定値以上遅れている場合、前記画像再生／更新制御手段は、
前記画像表示制御信号の周期を減少させる
ことを特徴とする請求項１から９までのいずれかに記載のマルチ画面表示システム。
【請求項１１】
前記第１の所定値及び前記第２の所定値は、前記配信装置と前記表示装置の各々の間のネットワーク遅延量のばらつきに相当するものである
ことを特徴とする請求項１０に記載のマルチ画面表示システム。
【請求項１２】
前記局部クロック制御手段は、前記同期調整信号と前記垂直同期信号との位相差の絶対値が、前記第１の所定値よりも大きい第３の所定値以上のとき、或いは前記第２の所定値よりも大きい第４の所定値以上のときは前記制御電圧の変更を行わない、前記局部クロック生成手段で発生されるクロックの周波数の制御に用いない
ことを特徴とする請求項５に記載のマルチ画面表示システム。
【請求項１３】
前記局部クロック制御手段は、
画像再生／更新処理実行時、
一定時間以上連続して、前記同期調整信号に対して前記垂直同期信号が前記第３の所定値以上進んでいる場合には、前記電圧制御発振器の制御電圧の下限値をより小さな値に修正し、
一定時間以上連続して、前記同期調整信号に対して前記垂直同期信号が前記第４の所定値以上遅れている場合には、前記電圧制御発振器の制御電圧の上限値をより大きな値に修正する
ことを特徴とする請求項１２に記載のマルチ画面表示システム。
【請求項１４】
前記第３の所定値及び前記第４の所定値は、前記配信装置と前記表示装置の各々の間のネットワーク遅延量のばらつきに相当したものである
ことを特徴とする請求項１３に記載のマルチ画面表示システム。
【請求項１５】
前記配信装置は、前記システム基準時計による時刻情報を配信し、
前記表示装置の各々は、クロックを発生する局部クロック生成手段を有し、
前記局部クロック生成手段は、当該局部クロック生成手段が発生するクロックの周波数を、前記配信装置から配信された前記時刻情報を受信し、受信した前記時刻情報のクロックの周波数に一致させる
ことを特徴とする請求項８又は９に記載のマルチ画面表示システム。
【請求項１６】
前記データ受信手段は、
前記ネットワーク経由で前記配信装置の前記データ配信手段から配信された前記再生制御情報付き画像データを受信する画像データ受信手段と、
前記ネットワーク経由で前記配信装置の前記データ配信手段から配信された前記同期調整データより前記同期調整信号を生成する同期調整データ受信手段とを有し、
前記画像再生／更新制御手段は、
前記画像データ受信手段で受信された前記再生制御情報付き画像データに含まれる前記再生制御情報、及び前記同期調整データ受信手段で生成された前記同期調整信号に基づき、画像の再生／更新処理を行って前記再生画像を出力し、前記画像表示制御信号を生成する
ことを特徴とする請求項１乃至１５のいずれかに記載のマルチ画面表示システム。
【請求項１７】
前記表示装置の各々は、
前記ネットワーク経由で前記配信装置の前記データ配信手段から配信された前記再生制御情報付き画像データを受信する第１の入力端子と、
前記ネットワーク経由で前記配信装置の前記データ配信手段から配信された前記同期調整データを受信する第２の入力端子とを有し、
前記画像データ受信手段は、前記第１の入力端子を介して前記再生制御情報付き画像データを受信し、
前記同期調整データ受信手段は、前記第２の入力端子を介して前記同期調整データを受信する
ことを特徴とする請求項１６に記載のマルチ画面表示システム。
【請求項１８】
前記ネットワークが第１のネットワークと第２のネットワークとを含み、
前記再生制御情報付き画像データが前記第１のネットワーク経由で前記第１の入力端子に入力され、
前記同期調整データが前記第２のネットワーク経由で前記第２の入力端子に入力される
ことを特徴とする請求項１７に記載のマルチ画面表示システム。
【請求項１９】
前記データ配信手段は、前記データ生成手段で作成した前記同期調整データに、配信に至るまでの配信遅延時間又は配信を先行させる場合の配信先行時間を表す配信時間ずれ情報をあわせて配信し、
前記データ受信手段は、前記配信時間ずれ情報をも用いて前記同期調整信号を生成する
ことを特徴とする請求項１から１８のいずれかに記載のマルチ画面表示システム。
【請求項２０】
前記表示装置の各々において、前記データ受信手段で前記同期調整データの受信のタイミングに対して所定の位相差をつけた前記同期調整信号を生成することにより、複数の前記表示装置間の画像更新タイミングに所望の時間差を生じさせる
ことを特徴とする請求項１から１９のいずれかに記載のマルチ画面表示システム。
【発明の詳細な説明】
【技術分野】
【０００１】
本発明は、配信装置と複数の表示装置から構成されるマルチ画面表示システムに関するものである。
【背景技術】
【０００２】
近年、駅や空港、大型商業施設などでは、ＬＥＤを使った電光掲示板や液晶ディスプレイ、プラズマディスプレイなどの表示装置を複数並べて設置し、ひとつの表示装置内に収まりきらない大きな画像サイズの映像コンテンツや広告、案内を、複数の表示装置を組み合わせ、あるいは、連動させて、表示することが増えてきている。【０００３】
特許文献１には、画像信号発生装置から受信した画像信号を再生して出力する画像信号中継装置、及び画像信号中継装置機能つき画像表示装置、並びにこれらの制御方法に関する提案がなされている。
【先行技術文献】
【特許文献】
【０００４】
【特許文献１】特許第３７０４１２１号公報（第７−８頁、第１４−１５頁、第２図、第５図、第７図、第１０図）
【発明の概要】
【発明が解決しようとする課題】
【０００５】
特許文献１に開示された画像信号中継装置、及び画像信号中継装置機能つき画像表示装置では、入力された画像信号に対応する同期信号にもとづくクロック信号を、内部で生成した挿げ換え用クロックに挿げ換え、挿げ換え用クロックを用いて入力された画像信号を再生成し、水平総ドット数（水平総画素数）または垂直総ライン数を調整し、入力された画像信号と再生した画像信号との位相差を解消している。入力された画像信号と再生した画像信号との位相差を解消することにより、内部で生成したクロックと入力クロックの周波数にずれが発生した場合にもずれを自動的に補正することができる。しかしながら、特許文献１の装置は、配信装置から表示装置までのネットワーク遅延を考慮したものになっていないために、複数の表示装置で画像更新を同期させるという点からは十分でないという問題があった。【０００６】
本発明は上記のような問題点を解消するためになされたものであり、複数の表示装置での画像更新を同期させる（ずれを一定範囲に収める）ことを目的とする。
【課題を解決するための手段】
【０００７】
本発明に係るマルチ画面表示システムは、
配信装置と複数の表示装置がネットワークを介して接続されるマルチ画面表示システムであって、
前記配信装置が、
システムの基準時刻を生成するシステム基準時計と、
画像データを格納する記憶手段と、
前記記憶手段より読み出した画像データに、前記システム基準時計で生成された前記基準時刻より再生制御情報を生成して、付加し、再生制御情報付き画像データを生成するとともに、前記システム基準時計で生成された前記基準時刻から再生画像の更新タイミングを調整するための同期調整データを生成するデータ生成手段と、
前記再生制御情報付き画像データと前記同期調整データをネットワーク経由で配信するデータ配信手段と
を備え、
前記複数の表示装置の各々が、
前記ネットワーク経由で前記配信装置の前記データ配信手段から配信された前記再生制御情報付き画像データ、及び前記同期調整データを受信し、前記同期調整データより同期調整信号を生成するデータ受信手段と、
前記データ受信手段で受信された前記再生制御情報付き画像データに含まれる前記再生制御情報、及び前記同期調整信号に基づき、画像の再生／更新処理を行って再生画像を出力し、画像更新タイミングを決定する画像表示制御信号を生成する画像再生／更新制御手段と、
前記画像再生／更新制御手段より出力された前記再生画像を前記画像表示制御信号のタイミングで表示する画像表示手段と
を備え、
前記画像再生／更新制御手段は、前記データ受信手段から出力される前記同期調整信号と、前記画像表示手段に出力する前記画像表示制御信号との位相差から、それ以降の前記画像表示制御信号の周期を増減させ、前記位相差を少なくするように制御することにより、複数の前記表示装置間の画像更新タイミングを合わせること
を特徴とする。
【発明の効果】
【０００８】
本発明によれば、複数の表示装置間の画像更新の同期を取ることができる。
【図面の簡単な説明】
【０００９】
【図１】本発明の実施の形態１、実施の形態３に係るマルチ画面表示システムの要部構成を示すブロック図である。
【図２】図１のデータ受信手段６の要部構成を示すブロック図である。
【図３】図１の画像再生／更新制御手段７の要部構成を示すブロック図である。
【図４】（ａ）〜（ｇ）は、同期調整信号（ＳＡＳ）が垂直同期信号（ＨＣｖ）に対して遅れている場合の、制御信号発生手段７１による垂直同期信号の補正を説明するための図である。
【図５】（ａ）〜（ｇ）は、同期調整信号（ＳＡＳ）が垂直同期信号（ＨＣｖ）に対して進んでいる場合の、制御信号発生手段７１による垂直同期信号の補正を説明するための図である。
【図６】（ａ）〜（ｄ）は、同期調整信号（ＳＡＳ）が垂直同期信号（ＨＣｖ）に対して遅れている場合における、本発明の実施の形態１、実施の形態２に係る制御信号発生手段７１のカウンタ７１ａのカウント値と、位相差許容範囲の関係を示す図である。
【図７】（ａ）〜（ｄ）は、同期調整信号（ＳＡＳ）が垂直同期信号（ＨＣｖ）に対して進んでいる場合における、本発明の実施の形態１、実施の形態２に係る制御信号発生手段７１のカウンタ７１ａのカウント値と、位相差許容範囲の関係を示す図である。
【図８】（ａ）〜（ｈ）は、配信遅延時間を表す配信時間ずれ情報（ＴＤＤ）を用いた場合の位相差及びその許容範囲の関係を示す図である。
【図９】（ａ）〜（ｈ）は、配信遅延時間を表す配信時間ずれ情報（ＴＤＤ）を用いた場合の位相差及びその許容範囲の関係を示す図である。
【図１０】（ａ）〜（ｈ）は、配信遅延時間を表す配信時間ずれ情報（ＴＤＤ）を用いた場合の位相差及びその許容範囲の関係を示す図である。
【図１１】（ａ）〜（ｈ）は、配信先行時間を表す配信時間ずれ情報（ＴＤＤ）を用いた場合の位相差及びその許容範囲の関係を示す図である。
【図１２】（ａ）〜（ｈ）は、配信先行時間を表す配信時間ずれ情報（ＴＤＤ）を用いた場合の位相差及びその許容範囲の関係を示す図である。
【図１３】（ａ）〜（ｈ）は、配信先行時間を表す配信時間ずれ情報（ＴＤＤ）を用いた場合の位相差及びその許容範囲の関係を示す図である。
【図１４】本発明の実施の形態２に係るマルチ画面表示システムの要部構成を示すブロック図である。
【図１５】図１４の画像データ受信手段６ａの要部構成を示すブロック図である。
【図１６】図１４の同期調整データ受信手段６ｂの要部構成を示すブロック図である。
【図１７】実施の形態２のマルチ画面表示システムの変形例を示すブロック図である。
【図１８】実施の形態３に係る画像再生／更新制御手段７の要部構成を示すブロック図である。
【図１９】実施の形態３に係る制御信号発生手段９０の要部構成を示すブロック図である。
【図２０】(ａ)〜(ｅ)は、同期調整信号（ＳＡＳ）が垂直同期信号（ＨＣｖ）に対して遅れている場合における、実施の形態３に係る制御信号発生手段９０の周期カウンタ９３のカウント値と、位相差許容範囲の関係を示す図である。
【図２１】（ａ）〜（ｅ）は、同期調整信号（ＳＡＳ）が垂直同期信号（ＨＣｖ）に対して進んでいる場合における、実施の形態３に係る制御信号発生手段９０の周期カウンタ９３のカウント値と、位相差許容範囲の関係を示す図である。
【図２２】（ａ）〜（ｄ）は、局部クロック生成手段１０を電圧制御発振器（ＶＣＸＯ）とした場合の第ｎの表示器ＨＳ−ｎの起動から画像再生／更新処理に至るまでの時間と制御電圧、位相差の関係を示す図である。
【発明を実施するための形態】
【００１０】
実施の形態１．
図１は、本発明の実施の形態１に係るマルチ画面表示システムの要部構成を示すブロック図である。
【００１１】
マルチ画面表示システムは、配信装置ＴＡと、第１乃至第Ｎの表示装置ＨＳ−１〜ＨＳ−Ｎ（Ｎは２以上の整数）とを備え、これらはネットワークＮＷで接続されている。
配信装置ＴＡ内は、システム基準時計１と、記憶手段２と、データ生成手段３と、データ配信手段４と、出力端子５とを備え、第１乃至第Ｎの表示装置ＨＳ−１〜ＨＳ−Ｎの各々は、データ受信手段６と、画像再生／更新制御手段７と、画像表示手段８と、入力端子９と、局部クロック生成手段１０を備えている。
第１乃至第Ｎの表示装置ＨＳ−１〜ＨＳ−Ｎの内部構成は互いに同一であり、以下では、それらのうちの任意のものを第ｎの表示装置ＨＳ−ｎ（ｎは１〜Ｎのいずれか）と呼び、その内部構成を図示して、説明する。
【００１２】
システム基準時計１は、本マルチ画面表示システムの基準時計であり、システムの基準時刻（を示すデータ）ＭＣＬを生成する。
【００１３】
記憶手段２は、画像データＶＤを格納しておくメモリである。画像データに限らず、音声データを含めた映像データでもよい。
【００１４】
データ生成手段３は、記憶手段２に格納された画像データＶＤに、システム基準時計１から得られるシステムの基準時刻ＭＣＬをもとにタイムスタンプ等の再生制御情報ＲＣＤを生成、付加して、再生制御情報付き画像データＶＣＤを生成する。なお、記憶手段２に格納された画像データＶＤが符号化処理前の画像データであれば、データ生成手段３内に符号化手段を設け、符号化処理を行えばよい。また、システム基準時計１から後述の表示装置ＨＳ−１〜ＨＳ−Ｎの各々における再生画像（ＲＶ）の更新タイミングを調整するための同期調整データＳＡＤを生成する。
【００１５】
データ配信手段４は、データ生成手段３で生成した再生制御情報付き画像データＶＣＤ、及び同期調整データＳＡＤを、それらの配信タイミングを調整しながら、出力端子５に出力する。
画像データＶＤは、表示装置ＨＳ−１〜ＨＳ−Ｎ間で同一の場合もあるが、互いに異なる場合もある。再生制御情報ＲＣＤ、再生制御情報付き画像データＶＣＤも同様である。
【００１６】
出力端子５から、再生制御情報付き画像データＶＣＤ、及び同期調整データＳＡＤがネットワークＮＷに出力される。
【００１７】
第１乃至第Ｎの表示装置ＨＳ−１〜ＨＳ−Ｎの各々のデータ受信手段６は、入力端子９から入力された再生制御情報付き画像データＶＣＤを一時的に、その内部の受信バッファ６２（後述）に保存し、画像再生／更新制御手段７からの読み出し制御信号ＲＣＳにより、画像再生／更新制御手段７に出力する。また、入力端子９から同期調整データＳＡＤが入力され、データ受信手段６は、同期調整データＳＡＤに基づいて同期調整信号ＳＡＳを生成して画像再生／更新制御手段７に出力する。
【００１８】
画像再生／更新制御手段７は、動作開始とともに自走し、所定のタイミングでデータ受信手段６に対して、読み出し制御信号ＲＣＳを発生し、この結果、再生制御情報付き画像データＶＣＤが入力される。画像再生／更新制御手段７はまた、画像表示手段８に対して、画像表示制御信号ＨＣを出力するとともに、再生画像ＲＶを出力する。さらに、データ受信手段６から出力される同期調整信号ＳＡＳと画像表示制御信号ＨＣにより、次の周期における、或いはそれ以降の画像表示制御信号ＨＣの出力タイミングを変化させる。
【００１９】
画像表示手段８では、画像再生／更新制御手段７より出力される再生画像ＲＶと画像表示制御信号ＨＣを受け、ＬＥＤを使った電光掲示板や液晶ディスプレイ、プラズマディスプレイなどのディスプレイに再生画像ＲＶを表示する。
【００２０】
図２は、データ受信手段６の要部構成を示すブロック図である。
データ受信手段６は、バッファ制御手段６１と、受信バッファ６２と、同期調整信号生成手段６３と、入力端子６６、６４ｂと、出力端子６４ａ、６５を備えている。
入力端子６６からは、再生制御情報付き画像データＶＣＤが入力される。
【００２１】
バッファ制御手段６１は、入力端子６６から入力される再生制御情報付き画像データＶＣＤを受信バッファ６２に書き込む。また、入力端子６４ｂより入力される読み出し制御信号ＲＣＳに応じて、バッファ制御手段６１が、受信バッファ６２より再生制御情報付き画像データＶＣＤを読み出す。
【００２２】
受信バッファ６２は、バッファ制御手段６１からの書き込み制御信号ＷＣＳに応じて、再生制御情報付き画像データＶＣＤを格納し、また、バッファ制御手段６１からの読み出し制御信号ＲＣＳに応じて、再生制御情報付き画像データＶＣＤが読み出される。
【００２３】
同期調整信号生成手段６３は、入力端子６６から入力される同期調整データＳＡＤから、同期調整信号ＳＡＳを生成する。より詳しくは、同期調整データＳＡＤを受信すると、直ちに同期調整信号ＳＡＳを発生する。なお、同期調整データＳＡＤの受信後、直ちに同期調整信号ＳＡＳを発生する代わりに、同期調整データＳＡＤの受信のタイミングに対して所定の位相差（時間差）を付けて同期調整信号ＳＡＳを発生することとしても良い。
【００２４】
入力端子６４ｂには、画像再生／更新制御手段７から読み出し制御信号ＲＣＳが入力され、出力端子６４ａからは、受信バッファ６２から読み出された再生制御情報付き画像データＶＣＤが出力される。また、出力端子６５からは、同期調整信号生成手段６３で生成された同期調整信号ＳＡＳが出力される。
【００２５】
図３は、画像再生／更新制御手段７の要部構成を示すブロック図である。
画像再生／更新制御手段７は、制御信号発生手段７１、復号処理手段７２、メモリ制御手段７３、メモリ７４、入力端子７５ａ、７６、７８ａ及び出力端子７５ｂ、７７ａ、７７ｂを備えている。
入力端子７６には、同期調整信号ＳＡＳが入力される。
【００２６】
制御信号発生手段７１は、局部クロック生成手段１０から、入力端子７８ａを介して供給される基準クロックＬＣＫを受け、復号処理手段７２に復号処理のための復号処理制御信号ＤＣＳを出力するとともに、表示出力のための画像表示制御信号ＨＣを発生させ、メモリ制御手段７３に出力する。このとき、入力端子７６より入力される同期調整信号ＳＡＳと今の（現フレームにおける）画像表示制御信号ＨＣの位相差によりその後の（次の周期における、或いはそれ以降の）画像表示制御信号ＨＣのタイミングを調整する。
【００２７】
復号処理手段７２は、制御信号発生手段７１からの復号処理制御信号ＤＣＳにより、出力端子７５ｂから読み出し制御信号ＲＣＳを出力し、入力端子７５ａより、再生制御情報付き画像データＶＣＤが入力され、再生制御情報付き画像データＶＣＤに含まれる再生制御情報ＲＣＤにより処理時刻を制御しながら、再生制御情報付き画像データＶＣＤに含まれる画像データＶＤの復号処理を行って、再生画像ＲＶを生成する。
【００２８】
メモリ制御手段７３は、復号処理手段７２の復号処理にて出力された再生画像ＲＶをメモリ７４に一時的に書き込み、制御信号発生手段７１からの画像表示制御信号ＨＣに応じて、メモリ７４から再生画像ＲＶを読み出し、出力する。これとともに、メモリ制御手段７３は、画像表示制御信号ＨＣを出力端子７７ｂに出力する。
【００２９】
出力端子７７ａから再生画像ＲＶが、出力端子７７ｂから画像表示制御信号ＨＣが出力される。
【００３０】
以上のような構成を有するマルチ画面表示システムの動作について、図１乃至図３を用いて以下に説明する。
【００３１】
システム基準時計１は、本マルチ画像表示システムの基準時計であり、基準時刻を示すデータを生成する。第１乃至第Ｎの表示装置ＨＳ−１〜ＨＳ−Ｎは、それぞれの局部クロック生成手段１０により発生される基準クロックＬＣＫをシステム基準時計１にあわせるように補正を行う。詳細は後述する。
【００３２】
記憶手段２に格納される画像データは、表示装置ＨＳに表示する映像コンテンツや広告、案内であり、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  ｓｅｃｔｏｒ）勧告Ｈ．２６ｘやＩＳＯ／ＩＥＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｔｅｃｈｎｉｃａｌ  Ｃｏｍｍｉｓｓｉｏｎ）標準ＭＰＥＧ（Ｍｏｖｉｎｇ  Ｐｉｃｔｕｒｅ  Ｅｘｐｅｒｔｓ  Ｇｒｏｕｐ）などの符号化データである。なお、動画像に限るものではなく、ＪＰＥＧ（Ｊｏｉｎｔ  Ｐｈｏｔｏｇｒａｐｈｉｃ  Ｅｘｐｅｒｔｓ  Ｇｒｏｕｐ）などの静止画像であってもよい。もちろん、音声データが付加された映像データであってもよい。また、記憶手段２に格納されるのは、符号化データに限られず、符号化前のデータ（画像、映像）を記憶手段２に格納しておいて、データ生成手段３で符号化処理を行うように構成してもよい。
【００３３】
データ生成手段３では、記憶手段２に格納された画像データに、システム基準時計１から得られるシステムの基準時刻（を示すデータ）をもとにタイムスタンプ等の再生制御情報ＲＣＤを生成、付加して、再生制御情報付き画像データＶＣＤを生成する。
再生制御情報ＲＣＤとは、再生時刻を規定するタイムスタンプであり、ＰＴＳ（Ｐｒｅｓｅｎｔａｔｉｏｎ  Ｔｉｍｅ  Ｓｔａｍｐ）や、ＤＴＳ（Ｄｅｃｏｄｉｎｇ  Ｔｉｍｅ  Ｓｔａｍｐ）などである。したがって、再生制御情報付き画像データＶＣＤとは、例えば、ＭＰＥＧ−２  ＴＳ（Ｔｒａｎｓｐｏｒｔ  Ｓｔｒｅａｍ）である。
【００３４】
また、データ生成手段３では、システム基準時計１から得られるシステムの基準時刻（を示すデータ）をもとに、表示装置ＨＳ−１〜ＨＳ−Ｎの各々における再生画像ＲＶの更新タイミングを調整するための同期調整データＳＡＤを生成する。
【００３５】
同期調整データＳＡＤは、基本的には、第１乃至第Ｎの表示装置ＨＳ−１〜ＨＳ−Ｎの各々における再生画像ＲＶの更新タイミングの元となる基準信号（データ）であり、例えばフレーム毎に周期的に配信されるものであるが、フレーム毎に発生されるものである必要はなく、第１乃至第Ｎの表示装置ＨＳ−１〜ＨＳ−Ｎの各々における局部クロック生成手段１０が発生するクロックＬＣＫの誤差による再生画像ＲＶの更新タイミングのずれを補正することが可能な間隔で配信されればよい。
また、同期調整データＳＡＤの配信は、必ずしも周期的である必要はなく、配信装置ＴＡと、第１乃至第Ｎの表示装置ＨＳ−１〜ＨＳ−Ｎの間で取り決められたタイミングで配信されればよい。
同期調整データＳＡＤの配信の周期は、表示装置ＨＳ−１〜ＨＳ−Ｎの各々における再生画像ＲＶの画像更新タイミングの周期のＭ倍（Ｍは１以上の整数）が望ましい。Ｍは固定値である必要はなく（即ち、時間とともに変化しても良く）、また、表示装置ＨＳ−１〜ＨＳ−Ｎ毎に違っても構わない。以下では、説明を簡単にするためＭが１に固定されているとして説明する。
【００３６】
データ配信手段４は、データ生成手段３で生成した再生制御情報付き画像データＶＣＤ、及び同期調整データＳＡＤを、それらの配信タイミングを調整しながら、出力端子５から配信する。例えば、再生制御情報付き画像データＶＣＤを配信中に、同期調整データＳＡＤの配信タイミングになったときには、一連の再生制御情報付き画像データＶＣＤを配信した後に、同期調整データＳＡＤを配信する。このとき、本来の周期的なタイミング（データ生成手段３で同期調整データＳＡＤを作成したタイミング、あるいは、データ生成手段３での同期調整データＳＡＤの生成から実際にデータ配信手段４から配信されるまでの遅延時間を考慮に入れたタイミングなど）に対してどのくらい遅延したかを配信時間ずれ情報ＴＤＤとして付加して配信することとしても良い。
【００３７】
配信装置ＴＡ内の画像データ配信手段４から出力端子５を介して出力された再生制御情報付き画像データＶＣＤ、及び同期調整データＳＡＤ（並びに配信時間ずれ情報ＴＤＤ）は、ネットワークＮＷを経由して、第１乃至第Ｎの表示装置ＨＳ−１〜ＨＳ−Ｎに配信される。
【００３８】
配信装置ＴＡと、第１乃至第Ｎの表示装置ＨＳ−１〜ＨＳ−ＮはネットワークＮＷにてネットワーク接続されており、トラフィック状況により、通常、伝送遅延は一定でない。ただし、本実施の形態では、配信装置ＴＡと、第１乃至第Ｎの表示装置ＨＳ−１〜ＨＳ−Ｎは、閉じたネットワークを構成しているため、ネットワークを使って伝送されるデータ量（トラフィック）とその変動は一定範囲内に収まるよう制御され、したがって、突発的、かつ想定外のトラフィックが発生しない限り、即ち、第１乃至第Ｎの表示装置ＨＳ−１〜ＨＳ−Ｎ間には、配信装置ＴＡからの伝送遅延に一定のばらつきはあるものの、表示装置上での表示処理に破綻をきたさない程度にフレームレート、乃至データ量が設定され、十分な帯域が確保されている場合を想定している。上記の条件が満たされるのであれば、有線ネットワークに限るものではなく、無線ネットワークでも構わない。また、有線ネットワークも、Ｅｔｈｅｒｎｅｔ（登録商標）に限るものでなく、ＰＬＣ（Ｐｏｗｅｒ  Ｌｉｎｅ  Ｃｏｍｍｕｎｉｃａｔｉｏｎ：高速電力線通信）などでも構わない。
【００３９】
再生制御情報付き画像データＶＣＤは、入力端子９を介してデータ受信手段６に入力される。入力端子９を介してデータ受信手段６に入力された再生制御情報付き画像データＶＣＤは、図２に示される入力端子６６を介して、バッファ制御手段６１に入力される。バッファ制御手段６１に入力された再生制御情報付き画像データＶＣＤは受信バッファ６２に入力され、一時的に格納される。
【００４０】
同様に、同期調整データＳＡＤは、入力端子９を介してデータ受信手段６に入力される。入力端子９を介してデータ受信手段６に入力された同期調整データＳＡＤは、入力端子６６を介して、同期調整信号生成手段６３に入力される。同期調整信号生成手段６３は、同期調整データＳＡＤが入力されると、これに基づいて直ちに、同期調整信号ＳＡＳを生成し、出力端子６５を介して、画像再生／更新制御手段７に出力する。なお、上記のように、同期調整データＳＡＤの受信後、所定の位相差を付けて同期調整信号ＳＡＳを発生することとしても良い。
【００４１】
同期調整データＳＡＤの受信後、直ちに同期調整信号ＳＡＳを発生する場合には、同期調整信号生成手段６３は、第１乃至第Ｎの表示装置ＨＳ−１〜ＨＳ−Ｎ間の内部処理負荷状況（例えば、入力端子９から入力される再生制御情報付き画像データＶＣＤのバッファ制御手段６１への取り込みや、復号処理手段７２での復号処理）による同期調整信号ＳＡＳの生成処理の遅延ばらつきを抑えるために、入力端子９に同期調整データＳＡＤが入力されてから出力端子６５から同期調整信号ＳＡＳが出力されるまでの時間が極力小さくなるように最優先で処理を行う。
【００４２】
画像再生／更新制御手段７内の制御信号発生手段７１は、局部クロック生成手段１０が発生するクロックＬＣＫに基づいて生成した復号処理制御信号ＤＣＳを復号処理手段７２に出力する。復号処理手段７２は、次に復号処理が可能な状況（たとえば、復号処理待機中、あるいは休止中）であれば、読み出し制御信号ＲＣＳを、出力端子７５ｂを介してデータ受信手段６に出力する。
【００４３】
復号処理手段７２より出力された読み出し制御信号ＲＣＳは、出力端子７５ｂ及びデータ受信手段６の入力端子６４ｂを介して、バッファ制御手段６１に入力される。バッファ制御手段６１は、入力端子６４ｂを介して入力された読み出し制御信号ＲＣＳを受け、受信バッファ６２から再生制御情報付き画像データＶＣＤを読み出し、出力端子６４ａより画像再生／更新制御手段７に出力する。
【００４４】
データ受信手段６より出力された再生制御情報付き画像データＶＣＤは、入力端子７５ａを介して、復号処理手段７２に入力される。復号処理手段７２は、入力端子７５ａより入力された再生制御情報付き画像データＶＣＤの再生制御情報ＲＣＤから、復号処理完了時間（ＰＴＳの場合）や復号処理開始時間（ＤＴＳの場合）を算出し、その時刻に復号処理を行って得られた復号画像（「再生画像」とも記し、符号ＲＶで表す）をメモリ制御手段７３に出力する。メモリ制御手段７３は、復号処理手段７２より出力された再生画像ＲＶをメモリ７４に一時保存する。
【００４５】
また、データ受信手段６から出力端子６５を介して出力された同期調整信号ＳＡＳは、画像再生／更新制御手段７の入力端子７６を介して、制御信号発生手段７１に入力される。
【００４６】
制御信号発生手段７１は、復号処理手段７２に復号処理制御信号ＤＣＳを出力するとともに、局部クロック生成手段１０が生成したクロック（局部クロック）ＬＣＫに基づいて、画像表示制御信号ＨＣを生成し、メモリ制御手段７３に出力する。画像表示制御信号ＨＣは、垂直同期信号ＨＣｖ、水平同期信号ＨＣｈ、及び画素クロックＤＣＫを含む。
制御信号発生手段７１は、入力端子７６を介して、データ受信手段６から入力される同期調整信号ＳＡＳと、画像表示制御信号ＨＣとの位相差に基づき、その後の（次のフレーム、或いはそれ以降に発生する）画像表示制御信号ＨＣのタイミングを決定する。詳細は後述する。
画素クロックは、各画素の信号の出力の同期信号として用いられるものである。各ライン中に発生される画素クロックの数（クロックパルスの数、即ちクロック周期の数）が各ライン中の総画素（無効画素を含め）の数に合致する。また、各フレーム中に発生される画素クロックの数が、各フレーム中の総画素（無効ライン中の画素、及び各ラインの無効画素を含め）の数に合致する。
なお、カウンタ７１ａでライン数をカウントする代わりに画素数をカウントすることとしてもよい。このとき、Ｆは、総画素数に相当する。
【００４７】
メモリ制御手段７３は、制御信号発生手段７１より入力された画像表示制御信号ＨＣをもとに、メモリ７４から再生画像ＲＶを読み出し、出力端子７７ａより再生画像ＲＶを出力する。このとき、出力端子７７ｂより、再生画像ＲＶの出力タイミングにあわせて、画像表示制御信号ＨＣを出力する。
【００４８】
画像表示手段８は、画像再生／更新制御手段７より入力された再生画像ＲＶと画像表示制御信号ＨＣに応じて、画像表示手段８を構成するディスプレイの画面に画像を表示する。なお、画像表示制御信号ＨＣのうち、特に、垂直同期信号ＨＣｖは、画像の更新のタイミングを制御する。
【００４９】
次に、配信装置ＴＡと、第１乃至第Ｎの表示装置ＨＳ−１〜ＨＳ−Ｎとの間の時刻同期について説明する。例えば、ＮＴＰ（Ｎｅｔｗｏｒｋ  Ｔｉｍｅ  Ｐｒｏｔｏｃｏｌ）と呼ばれるインターネットで広く使われているクロック同期のプロトコルを用いる。ＮＴＰは、最上位のＮＴＰサーバが、原子時計やＧＰＳ（Ｇｌｏｂａｌ  Ｐｏｓｉｔｉｏｎｉｎｇ  Ｓｙｓｔｅｍ）などの非常に精度が高く正確な時計から正確な時刻を取得し、下位のＮＴＰサーバ（ある階層Ａのサーバ）がそれを参照して時刻をあわせ、その下のＮＴＰサーバ（階層Ａの下の階層Ｂのサーバ）、クライアントは、階層ＡのＮＴＰサーバを参照して、時刻をあわせるというような階層構造を持つため、複数のクライアントが効率的に時刻を合わせることができる。時刻の参照に際して、ネットワークの伝送遅延を計測、補正することにより、伝送遅延のばらつきやゆらぎの影響を極力抑え、数ミリ秒以下の精度で時刻を同期させることができる。
【００５０】
本実施の形態では、第１乃至第Ｎの表示装置ＨＳ−１〜ＨＳ−Ｎは、必ずしも、最上位のＮＴＰサーバと時刻同期をとる必要はなく、配信装置ＴＡとの間で時刻同期がとれればよい。したがって、配信装置ＴＡにＮＴＰサーバ（システム基準時計１）を設置する。配信装置ＴＡは、外部ネットワーク（不図示）を介して、上位のＮＴＰサーバ（不図示）から基準時刻を取得してもよいし、あるいは、配信装置ＴＡのシステム基準時計１にＧＰＳを設置し、システム内の基準時刻となる時刻を取得するように構成してもよい。
【００５１】
配信装置ＴＡから配信される再生制御情報付き画像データＶＣＤの再生制御情報ＲＣＤには、データ生成手段３において、配信装置ＴＡと、第１乃至第Ｎの表示装置ＨＳ−１〜ＨＳ−Ｎとの間で、数ミリ秒以下の精度で同期した時刻を基準に、再生時刻を規定するタイムスタンプが付けられる。表示装置ＨＳ−１〜ＨＳ−Ｎの各々の復号処理手段７２は、この再生時刻にあわせて復号処理を実行する。したがって、第１乃至第Ｎの表示装置ＨＳ−１〜ＨＳ−Ｎの間における復号処理には、第１乃至第Ｎの表示装置ＨＳ−１〜ＨＳ−Ｎ内の時刻の同期誤差程度のずれが発生する。
【００５２】
次に、クロックの偏差について説明する。第１乃至第Ｎの表示装置ＨＳ−１〜ＨＳ−Ｎには、個々に局部クロック生成手段１０が搭載されており、局部クロック生成手段１０が発生するクロックＬＣＫは偏差を持つ。クロックの偏差はｐｐｍ（ｐａｒｔｓ  ｐｅｒ  ｍｉｌｌｉｏｎ）で表されることが多い。±５０ｐｐｍの場合、１日あたり±４．５秒のずれを発生し、複数の表示装置間で、１日あたり最大９秒の差が生じる可能性がある。これは、３０ｆｐｓ（ｆｒａｍｅｓ  ｐｅｒ  ｓｅｃｏｎｄ）の映像信号の場合には、およそ、２７３フレームの差に相当する。
【００５３】
ＭＰＥＧ−２  ＴＳでは、送信機の基準クロックをカウントした値をＰＣＲ（Ｐｒｏｇｒａｍ  Ｃｌｏｃｋ  Ｒｅｆｅｒｅｎｃｅ）として画像データに付加して送信する。受信機では、受信機の基準クロックＬＣＫをカウントした値ＳＴＣ（Ｓｙｓｔｅｍ  Ｔｉｍｅ  Ｃｌｏｃｋ）を生成し、ＳＴＣが、送信機から送信されたＰＣＲに一致するように、受信機の基準クロックの周波数を微調整していく。ＰＣＲは、１００ミリ秒間隔で挿入することが推奨されている。本実施の形態では、これに倣い、配信装置ＴＡでＰＣＲを画像データに付加して送信し、各表示装置ＨＳ−ｎでは、配信装置ＴＡから送信されたＰＣＲを受信し、表示装置ＨＳ−ｎ内部の局部クロック生成手段１０で生成したＳＴＣが、配信装置ＴＡから受信したＰＣＲに一致するように基準クロックＬＣＫの周波数を微調整し、配信装置ＴＡの基準クロックと表示装置ＨＳ−ｎの基準クロックＬＣＫとを同期させる。例えば、配信装置ＴＡの基準クロックは、周波数が２７ＭＨｚであり、これをカウントすることで１００ｍ秒ごとにＰＣＲを生成し、これを送信する。表示装置ＨＳ−ｎの局部クロック生成手段１０では、１００ｍ秒ごとに、表示装置ＨＳ−ｎの２７ＭＨｚの基準クロックＬＣＫで生成したＳＴＣが、配信装置ＴＡから受信したＰＣＲに一致するように基準クロックＬＣＫの周波数を微調整して、配信装置ＴＡの基準クロックに表示装置ＨＳ−ｎの基準クロックＬＣＫを同期させる。
【００５４】
局部クロック生成手段１０には、例えば、ＶＣＸＯ（Ｖｏｌｔａｇｅ  Ｃｏｎｔｒｏｌｌｅｄ  Ｘｔａｌ  Ｏｓｃｉｌｌａｔｏｒ）などの電圧制御発振器が用いられ、配信装置ＴＡから送信されたＰＣＲの値（配信装置ＴＡの基準クロックをカウントすることで生成されたカウント値）と上記電圧制御発振器で生成した基準クロックＬＣＫをカウントすることで生成されたカウント値ＳＴＣの差を算出し、その差により電圧制御発振器に印加する電圧を増減させることによって、内蔵する容量可変素子の容量を変化させ、結果として、局部クロック生成手段１０が生成する基準クロックＬＣＫの発振周波数が、配信装置ＴＡの基準クロックの周波数と一致するような制御が行われる。
【００５５】
以上のように、ＭＰＥＧ−２  ＴＳにより、ＰＣＲの受け渡しができている間は、配信装置ＴＡと、第１乃至第Ｎの表示装置ＨＳ−１〜ＨＳ−Ｎの基準クロックの発振周波数は、等しくなるように制御される。
なお、ネットワークの伝送遅延のゆらぎに応じて、表示装置ＨＳ−ｎの基準クロックがゆらぐが、上述したような閉じたネットワークでは、ゆらぎを一定に抑えられること、また、発振周波数をゆるやかに変化させつつ、配信装置ＴＡの基準クロックに追従させることにより、バッファの破綻を生じないよう、制御することができる。
【００５６】
次に、図４（ａ）〜（ｇ）及び図５（ａ）〜（ｇ）、並びに図６（ａ）〜（ｄ）及び図７（ａ）〜（ｄ）を用いて、配信装置ＴＡから出力される同期調整データＳＡＤをもとに、第１乃至第Ｎの表示装置ＨＳ−１〜ＨＳ−Ｎの各々において、データ受信手段６内の同期調整信号生成手段６３から出力される同期調整信号ＳＡＳに基づいて画像再生／更新制御手段７から画像表示手段８へ出力される画像表示制御信号ＨＣの位相を制御する処理について説明する。以下では、主に第１乃至第Ｎの表示装置のうちの任意のものである第ｎの表示装置ＨＳ−ｎと配信装置ＴＡの動作について説明する。
【００５７】
図４（ｂ）及び図５（ｂ）に示される同期調整データＳＡＤは、配信装置ＴＡ内のシステム基準時計１で生成される基準時刻ＭＣＬをもとに、データ生成手段３において周期的なタイミングで生成され出力される。
【００５８】
同期調整データＳＡＤは、配信装置ＴＡから表示装置ＨＳ−１〜ＨＳ−Ｎに配信され、表示装置ＨＳ−１〜ＨＳ−Ｎの各々において、受信した同期調整データＳＡＤに基づいて同期調整信号ＳＡＳ（図４（ｃ）、図５（ｃ））が生成され、同期調整信号ＳＡＳと垂直同期信号ＨＣｖ（図４（ｄ）、図５（ｄ））が比較され、これらの位相差が許容範囲ＲＰＤ（図４（ｆ）、図５（ｆ））内でなければ、垂直同期信号ＨＣｖ（図４（ｄ）、図５（ｄ））の位相を調整する。
【００５９】
同期調整信号ＳＡＳと垂直同期信号ＨＣｖの位相差が許容範囲かどうかの判断は、後述のように、各表示装置内の制御信号発生手段７１でカウンタ７１ａによるカウント値ＣＴ（図４（ｇ）、図５（ｇ））に基づいて行われる。即ち、カウンタ７１ａのカウント値ＣＴのうち、同期調整信号ＳＡＳを受信したときのカウント値ＣＴｓに基づき、同期調整信号ＳＡＳと垂直同期信号ＨＣｖの位相差が許容範囲ＲＰＤ内にあるかどうかを判定し、許容範囲外と判定されたときは、さらに同期調整信号ＳＡＳに対して垂直同期信号ＨＣｖが遅れているか進んでいるかを判定し、この判定の結果に基づいて、その後の（次のフレーム、或いはそれ以降の）垂直同期信号ＨＣｖが出力される位相を調整する。位相の調整は、前回垂直同期信号ＨＣｖが発生してから、次に垂直同期信号ＨＣｖを発生させるまでのクロックＣＬＫの周期数（クロック数）を調整することで行われる。このような処理は、上記カウント値ＣＴｓに基づいて同期調整信号ＳＡＳの１フレーム中の位置を算出し、その結果に基づき位相差を算出し、算出した位相差に基づいて、その後の（次のフレーム、或いはそれ以降の）垂直同期信号ＨＣｖが出力される位相を調整することを意味する。従って、カウント値ＣＴｓに基づく制御（位相調整）を単に位相差に基づく制御（位相調整）と言うことがある。
【００６０】
位相差は、同期調整信号ＳＡＳに対して垂直同期信号ＨＣｖが進んでいる場合に正の値で表し、同期調整信号ＳＡＳに対して垂直同期信号ＨＣｖが遅れている場合に負の値で表すこともあるが、正負の符号を無視した絶対値を位相差ということもある。
【００６１】
以下では、同期調整データＳＡＤは、フレーム毎に周期的に配信されるもので、フレーム同期信号ＳＹｆ（図４（ａ）、図５（ａ））に同期して発生されるものであるとして説明する。
また、トラフィックの過密による伝送遅延とそのばらつきを避けるために、データ配信手段４において、配信のタイミングをずらせて不定期なタイミングとする場合には、定期的なタイミングとのズレを示す配信時間ずれ情報ＴＤＤもあわせて送信する場合がある。配信時間ずれ情報ＴＤＤが付加されている場合の詳細は後述する。
ここでは、配信装置ＴＡと、第１乃至第Ｎの表示装置ＨＳ−１〜ＨＳ−Ｎの基準クロックＬＣＫは、上記のＰＣＲを使ったクロックの同期により、周波数は一致しているものとし、図４（ａ）〜（ｇ）及び図５（ａ）〜（ｇ）では、本来の１フレーム期間の長さ（１フレーム期間の標準値）がｖａで示され、また最初の１フレーム期間ｖ１がｖａである場合が示されている。
【００６２】
また、図４（ａ）において、フレーム同期信号ＳＹｆのうち、各フレームに発生されるものが符号ｔ１〜ｔ６で示され、図４（ｃ）において、同期調整信号ＳＡＳのうちの、各タイミングで発生されるものが符号ｓ１〜ｓ６で示され、図４（ｄ）及び（ｅ）において、垂直同期信号ＨＣｖのうちの各タイミングで発生されるものが符号ｈ１〜ｈ６で示されている。同様に、図５（ａ）において、フレーム同期信号ＳＹｆのうち、各フレームに発生されるものが符号ｔ１〜ｔ５で示され、図５（ｃ）において、同期調整信号ＳＡＳのうちの、各タイミングで発生されるものが符号ｓ１〜ｓ５で示され、図５（ｄ）及び（ｅ）において、垂直同期信号ＨＣｖのうちの各タイミングで発生されるものが符号ｈ０〜ｈ５で示されている。
【００６３】
図６（ａ）〜（ｄ）及び図７（ａ）〜（ｄ）は、それぞれ図４（ａ）〜（ｇ）及び図５（ａ）〜（ｇ）の最初の１フレーム期間及びその前後における、カウンタ７１ａによるカウント値ＣＴと位相差許容範囲ＲＰＤとの関係を示す。このカウンタ７１ａは、垂直同期信号ＨＣｖでリセットされた後、次に同期調整信号ＳＡＳが検出されるまでの垂直ライン数のカウントのために用いられる。従って、同期調整信号ＳＡＳが検出された後は、垂直ライン数のカウントを続ける必要はないが、図４（ａ）〜図７（ｄ）（並びに後述の図８（ａ）〜図１３（ｈ））では、同期調整信号ＳＡＳが検出された後もカウントを続けるものとして図示されている。
なお、カウンタ７１ａでライン数をカウントする代わりに画素数をカウントすることとしても良い。
【００６４】
図６（ａ）〜（ｄ）及び図７（ａ）〜（ｄ）では、図４（ａ）〜（ｇ）及び図５（ａ）〜（ｇ）のフレーム同期信号ＳＹｆ、同期調整データＳＡＤ、位相調整しない場合の垂直同期信号ＨＣｖが省略され、同期調整信号ＳＡＳ、位相調整された垂直同期信号ＨＣｖ、位相差許容範囲ＲＰＤ及びカウント値ＣＴが示されている。
【００６５】
また、説明を簡単にするため、データ生成手段３におけるシステム基準時計１による時刻を示す情報乃至信号の出力からの同期調整データＳＡＤの作成、データ配信手段４からデータ受信手段６への同期調整データＳＡＤの配信、及び同期調整信号生成手段６３における同期調整データＳＡＤからの同期調整信号ＳＡＳの生成までに遅延はないものとしている。
【００６６】
上記の位相許容範囲ＲＰＤは、垂直同期信号ＨＣｖに対して、その前後の一定期間から成り、位相許容範囲ＲＰＤを定める所定値Ａ、Ｂは、ネットワークの伝送遅延のばらつきを考慮して設定される。ネットワーク自体に伝送遅延のばらつきがあり、ＮＴＰを使った時刻同期についても、数ミリ秒以下の誤差があるため、その精度以下での調整は意味をなさない。
【００６７】
図４（ａ）〜（ｇ）は、位相調整をしない場合の垂直同期信号ＨＣｖ（ｈ１〜ｈ６）が、同期調整信号ＳＡＳ（ｓ１〜ｓ６）に対して進んでおり、位相差（の絶対値）がｄ１である場合を示す。
１フレーム目において、配信装置ＴＡの１フレーム期間と、表示装置ＨＳ−ｎの１フレーム期間の長さは、同じｖ１（＝ｖａ）であるとしている。
【００６８】
まず、時刻ｔ１で、制御信号発生手段７１は、同期調整信号生成手段６３より出力された同期調整信号ＳＡＳ（ｓ１）と、垂直同期信号ＨＣｖ（ｈ１）との位相差ｄ１を算出する。具体的には、カウンタ７１ａで、時刻ｔ１の直前の垂直同期信号ＨＣｖ（ｈ１）でリセットし、その後の垂直ライン数を数え、同期調整信号ＳＡＳ（ｓ１）を受信したときのカウント値ＣＴｓに基づき同期調整信号ＳＡＳ（ｓ１）と垂直同期信号ＨＣｖ（ｈ１）の位相差を算出する。算出した位相差が、位相差許容範囲ＲＰＤ外（ｄ１が時刻ｔ１の直前の垂直同期信号ＨＣｖ（ｈ１）の発生タイミングを中心とする許容範囲ＲＰＤ外）にあれば、垂直同期信号ＨＣｖよりも同期調整信号ＳＡＳが遅れすぎている、逆に言えば、同期調整信号ＳＡＳに対して垂直同期信号ＨＣｖの位相が進みすぎていると判断し、次のフレーム（ｈ２からｈ３まで）の長さｖ２を今のフレームの長さｖ１よりも長くする（垂直同期信号ＨＣｖの発生間隔を長くする）。
具体的には、垂直同期信号ＨＣｖが発生してから、次に垂直同期信号ＨＣｖが発生するまでのクロックＣＬＫの数（周期数）を多くする。言い換えれば、垂直同期信号ＨＣｖが発生してから、より多数のクロックが発生したときに次の垂直同期信号ＨＣｖを発生させる。
長くする量（調整幅）は、予め定めた値であっても良く、検出された位相差に応じて定める（例えば位相差が大きいほど大きくする）こととしても良い。
フレームを長くする場合、垂直ブランキング期間や、水平ブランキング期間などを長くすることでフレームを長くするのが望ましい。
【００６９】
同様に、時刻ｔ２で、同期調整信号ＳＡＳ（ｓ２）と垂直同期信号ＨＣｖ（ｈ２）との位相差を算出し、やはり垂直同期信号ＨＣｖ（ｈ２）が同期調整信号ＳＡＳ（ｓ２）に対して進んでおり、かつ（調整後の）位相差ｄ１ｍが位相差許容範囲ＲＰＤ外と判定されたときは、次のフレーム（ｈ３からｈ４まで）の長さｖ３を、ｖ２よりも長くする。
【００７０】
同様に、時刻ｔ３で、同期調整信号ＳＡＳ（ｓ３）と垂直同期信号ＨＣｖ（ｈ３）との位相差を算出し、やはり垂直同期信号ＨＣｖ（ｈ３）が同期調整信号ＳＡＳ（ｓ３）に対して進んでおり、かつ（調整後の）位相差ｄ１ｍが位相差許容範囲ＲＰＤ外と判定されたときは、次のフレーム（ｈ４からｈ５まで）の長さｖ４を、ｖ３よりも長くする。
【００７１】
時刻ｔ４で、同期調整信号ＳＡＳ（ｓ４）と垂直同期信号ＨＣｖ（ｈ４）との位相差を算出し、（調整後の）位相差ｄ１ｍが位相差許容範囲ＲＰＤの内と判定されたとすると、次のフレーム（ｈ５からｈ６まで）の長さｖ４をそのまま（前フレームと同じ）とする。
【００７２】
それ以降、垂直同期信号ＨＣｖと同期調整信号ＳＡＳの位相差が、位相差許容範囲ＲＰＤ内である限り、フレームの長さはｖ４（＞ｖ１）に保たれ、その結果、同期調整信号ＳＡＳに対して垂直同期信号ＨＣｖは次第に位相が遅れていく（遅れる方向に変化する）。
【００７３】
図５（ａ）〜（ｇ）は、位相調整をしない場合の垂直同期信号ＨＣｖ（ｈ０〜ｈ５）が、同期調整信号ＳＡＳ（ｓ１〜ｓ５）に対して遅れており、位相差（の絶対値）がｄ２である場合を示す。
１フレーム目において、配信装置ＴＡの１フレーム期間と、表示装置ＨＳ−ｎの１フレーム期間の長さは、同じｖ１（＝ｖａ）であるとしている。
【００７４】
まず、時刻ｔ１で、制御信号発生手段７１は、同期調整信号生成手段６３より出力された同期調整信号ＳＡＳ（ｓ１）と、垂直同期信号ＨＣｖ（ｈ１）との位相差ｄ２を算出する。具体的には、カウンタ７１ａで、時刻ｔ１の直前の垂直同期信号ＨＣｖ（ｈ０）でリセットし、その後の垂直ライン数を数え、同期調整信号ＳＡＳ（ｓ１）を受信したときのカウント値ＣＴｓに基づき同期調整信号ＳＡＳ（ｓ１）と垂直同期信号ＨＣｖ（ｈ１）の位相差を算出する。算出した位相差が、位相差許容範囲ＲＰＤ外（ｄ２が時刻ｔ１の次の垂直同期信号ＨＣｖ（ｈ１）の発生タイミングを中心とする許容範囲ＲＰＤ外）にあれば、垂直同期信号ＨＣｖよりも同期調整信号ＳＡＳが進みすぎている、即ち、同期調整信号ＳＡＳに対して垂直同期信号ＨＣｖの位相が遅れすぎていると判断し、次のフレーム（ｈ１からｈ２まで）の長さｖ２を今のフレームの長さｖ１よりも短くする（垂直同期信号ＨＣｖの発生間隔を短くする）。
具体的には、垂直同期信号ＨＣｖが発生してから、次に垂直同期信号ＨＣｖが発生するまでのクロック数（周期数）を少なくする。言い換えれば、垂直同期信号ＨＣｖが発生してから、より少数のクロックが発生したときに次の垂直同期信号ＨＣｖを発生させる。
短くする量（調整幅）は、予め定めた値であっても良く、検出された位相差に応じて定める（例えば位相差が大きいほど大きくする）こととしても良い。
フレームを短くする場合、垂直ブランキング期間や、水平ブランキング期間などを短くするのが望ましい。
【００７５】
同様に、時刻ｔ２で、同期調整信号ＳＡＳ（ｓ２）と垂直同期信号ＨＣｖ（ｈ２）との位相差を算出し、やはり垂直同期信号ＨＣｖ（ｈ２）が同期調整信号ＳＡＳ（ｓ２）に対して遅れており、かつ（調整後の）位相差ｄ２ｍが位相差許容範囲ＲＰＤ外と判定されたときは、次のフレーム（ｈ２からｈ３まで）の長さｖ３を、ｖ２よりも短くする。
【００７６】
同様に、時刻ｔ３で、同期調整信号ＳＡＳ（ｓ３）と垂直同期信号ＨＣｖ（ｈ３）との位相差を算出し、やはり垂直同期信号ＨＣｖ（ｈ３）が同期調整信号ＳＡＳ（ｓ３）に対して遅れており、かつ（調整後の）位相差ｄ２ｍが位相差許容範囲ＲＰＤ外と判定されたときは、次のフレーム（ｈ３からｈ４まで）の長さｖ４を、ｖ３よりも短くする。
【００７７】
時刻ｔ４で、同期調整信号ＳＡＳ（ｓ４）と垂直同期信号ＨＣｖ（ｈ４）との位相差を算出し、（調整後の）位相差ｄ２ｍが位相差許容範囲ＲＰＤの内と判定されたとすると、次のフレーム（ｈ４からｈ５まで）の長さｖ４はそのまま（前フレームと同じ）とする。
【００７８】
それ以降、垂直同期信号ＨＣｖと同期調整信号ＳＡＳの位相差が、位相差許容範囲ＲＰＤ内である限り、フレームの長さはｖ４（＜ｖ１）に保たれ、その結果、同期調整信号ＳＡＳに対して垂直同期信号ＨＣｖは次第に位相が進んでいく（進む方向に変化する）。
【００７９】
以上のように、同期調整信号ＳＡＳに対して垂直同期信号ＨＣｖの位相が進んでいる場合には、垂直同期信号ＨＣｖの発生を遅らせ、逆に、同期調整信号ＳＡＳに対して垂直同期信号ＨＣｖの位相が遅れている場合には、垂直同期信号ＨＣｖの発生を進めることによって、垂直同期信号ＨＣｖと同期調整信号ＳＡＳをある一定の位相差内（位相差許容範囲ＲＰＤ内）に抑えることができる。
【００８０】
上記のように、図４（ａ）〜（ｇ）及び図５（ａ）〜（ｇ）に示す例において、上記の算出した位相差が上記の許容範囲ＲＰＤ内かどうかの判定は、表示装置ＨＳ−ｎが同期調整信号ＳＡＳを受信したときの、カウンタ７１ａのカウント値ＣＴｓが、
Ｆ−Ｂ≦ＣＴｓ      （Ｆ１）
又は
ＣＴｓ≦Ａ      （Ｆ２）
を満たすか否かにより行う。即ち、上記の不等式（Ｆ１）又は（Ｆ２）が満たされれば、位相差が許容範囲ＲＰＤ内と判断し、満たされなければ位相差が許容範囲ＲＰＤ外と判断する。
ここでＦは、本来の（即ち、上記の説明による増減を行う前の）総垂直ライン数であり、Ｂ及びＡは、それぞれ０．５×Ｆを超えない正の整数であり、Ｂ及びＡは、水平同期間隔、垂直フロントポーチ、及び垂直バックポーチの期間（時間）を考慮に入れて予め設定される。
具体的には、Ｂ及びＡがＦの１／８〜１／４程度に決定される。即ち、Ｂ，Ａが１フレーム期間の１／８〜１／４の期間Ｂｔ及びＡｔに対応するカウント値となるように決定される。決定されたＢ、Ａの値は、各表示装置ＨＳ−ｎ内、例えば画像再生／更新制御手段７内に記憶されている。
なお、ＣＴ、Ｆ、Ａ、Ｂはライン数又はライン数に対応する設定値であるとして説明するが、クロックＣＬＫの数又はそれに対応する設定値であっても良い。
なおまた、位相差許容範囲はこれに限るものではなく、表示装置に表示する映像のフレームレートや、ネットワークの伝送遅延にあわせて決めればよい。
【００８１】
また、
０．５×Ｆ＜ＣＴｓ＜Ｆ−Ｂ
が満たされる場合には、位相差が許容範囲ＲＰＤ外であり、かつ垂直同期信号ＨＣｖが同期調整信号ＳＡＳに対して遅れており、
Ａ＜ＣＴｓ＜０．５×Ｆ
が満たされる場合には、位相差が許容範囲ＲＰＤ外であり、かつ垂直同期信号ＨＣｖが同期調整信号ＳＡＳに対して進んでいると判断する。
【００８２】
第１乃至第Ｎの表示装置ＨＳ−１〜ＨＳ−Ｎの各々は、配信装置ＴＡ内のシステム基準時計１で作成した同期調整データＳＡＤをもとに、データ受信手段６内の同期調整信号生成手段６３から出力される同期調整信号ＳＡＳと表示装置ＨＳ−１〜ＨＳ−Ｎの各々における画像表示手段８の画像更新タイミング（垂直同期信号ＨＣｖ）を一定の位相差内に抑えることができるため、その結果、第１乃至第Ｎの表示装置ＨＳ−１〜ＨＳ−Ｎの画像表示手段８間の画像更新タイミングについても、一定の位相差内に抑えることができる。なお、各表示装置ＨＳ−ｎにおける画像更新タイミングの制御を許容範囲ＲＰＤ内（±ＨＲＰ内）に抑えることを目標として行う場合に、任意の２つの表示装置間における画像更新タイミングの位相差は、上記の許容範囲ＲＰＤ内（ＨＲＰの２倍以内）に抑えられることになる。
【００８３】
なお、図４（ａ）〜（ｇ）及び図５（ａ）〜（ｇ）では、同期調整信号ＳＡＳと垂直同期信号ＨＣｖの位相差の算出結果を直ちに次のフレームにて反映させているが、このようにする代わりに、位相差の一定期間の平均（所定数のフレームにわたる平均）が位相差許容範囲外となった場合や、位相差が連続して所定の回数、同じ正負の符号を有し、かつ位相差許容範囲外となった場合に、増減させるようにしてもよい。
【００８４】
次に、トラフィックの過密による伝送遅延の影響を避けるために、同期調整データＳＡＤの配信を遅らせる場合について説明する。配信装置ＴＡのデータ配信手段４が、第１乃至第Ｎの表示装置ＨＳ−１〜ＨＳ−Ｎの各々における画像更新タイミングと同じ周期でかつ同じ位相関係で、同期調整データＳＡＤを配信することがシステムの簡便さから望ましいが、一方で、再生制御情報付き画像データＶＣＤの配信のタイミングと重なるために、所望のタイミングで同期調整データＳＡＤを配信できない場合が発生する。この場合には、同期調整データＳＡＤに、本来の配信タイミングに対してどれだけ遅れて配信したかを通知するための配信時間ずれ情報ＴＤＤを付けて配信することにより、配信遅延を補うことが可能である。
【００８５】
図８（ａ）〜（ｈ）、図９（ａ）〜（ｈ）及び図１０（ａ）〜（ｈ）は、フレーム同期信号ＳＹｆ（これらの図の（ａ））に同期した時刻ｔａで、同期調整データＳＡＤａ（これらの図の（ｂ））を配信すべきところを、遅延時間Ｄｔの経過後の時刻ｔｂに、同期調整データＳＡＤｂ（これらの図の（ｃ））を配信した場合の動作を、それぞれ異なる値の遅延時間Ｄｔについて示す。遅延時間Ｄｔに相当するカウント値（カウント値の増分）がＤで表され、また遅延時間Ｄｔを表す配信時間ずれ情報は符号ＴＤＤで表される。遅延時間Ｄｔは１フレーム期間よりも短く、従ってＤ＜Ｆであるとしている。同期調整データＳＡＤａ及びＳＡＤｂに対応する同期調整信号ＳＡＳはそれぞれ符号ＳＡＳａ及びＳＡＳｂで示される。
【００８６】
図８（ａ）〜（ｈ）は、Ｄ−Ｂ≧０でかつＤ＋Ａ≦Ｆの場合（即ち、Ｂ≦Ｄ≦Ｆ−Ａの場合）で、かつＤ＞０．５×Ｆの場合を示し、
図９（ａ）〜（ｈ）は、Ｄ−Ｂ＜０でかつＤ＋Ａ＜Ｆの場合（即ち、Ｄ＜ＢでかつＤ＜Ｆ−Ａの場合）を示し、
図１０（ａ）〜（ｈ）は、Ｄ−Ｂ≧０でかつＤ＋Ａ＞Ｆの場合（即ち、Ｄ≧ＢでかつＤ＞Ｆ−Ａの場合）を示す。
また、図８（ａ）〜（ｈ）、図９（ａ）〜（ｈ）、及び図１０（ａ）〜（ｈ）はいずれも、同期調整信号ＳＡＳａに対して垂直同期信号ＨＣｖが進んでいる場合を示す。
【００８７】
ここでも、説明を簡単にするため、データ生成手段３におけるシステム基準時計１による時刻を示す情報乃至信号の出力からの同期調整データＳＡＤの作成、データ配信手段４からデータ受信手段６への同期調整データＳＡＤの配信、及び同期調整信号生成手段６３における同期調整データＳＡＤからの同期調整信号ＳＡＳの生成までに遅延はないものとしている。
【００８８】
配信遅延がない場合、つまり、Ｄｔ＝０のときには、図４（ａ）〜（ｇ）〜図７（ａ）〜（ｄ）を参照して説明したように、不等式（Ｆ１）又は（Ｆ２）が満たされるときに、位相差が許容範囲ＲＰＤ内であると判断する。
【００８９】
なお、不等式（Ｆ１）は、垂直同期信号ＨＣｖが同期調整信号ＳＡＳに対して遅れている場合（図５（ａ）〜（ｇ））に限り満たされ、不等式（Ｆ２）は、垂直同期信号ＨＣｖが同期調整信号ＳＡＳに対して進んでいる場合（図４（ａ）〜（ｇ））に限り満たされる。
【００９０】
配信遅延がある場合、即ちＤｔ＞０の場合には、同期調整信号と垂直同期信号ＨＣｖの位相差が許容範囲ＲＰＤ内かどうかの判定式としても、配信遅延Ｄｔに相当するカウント値Ｄだけずらしたものを用いる必要がある。即ち、図８（ａ）〜（ｈ）のように、
Ｄ−Ｂ≧０でかつＤ＋Ａ≦Ｆの場合（Ｂ≦Ｄ≦Ｆ−Ａの場合）には、
Ｄ−Ｂ≦ＣＴｓ≦Ｄ＋Ａ      （Ｆ３）
が満たされれば、同期調整信号ＳＡＳａ（ｓ１）と垂直同期信号ＨＣｖ（ｈ１）の位相差が許容範囲ＲＰＤ内であると判断する。
また、
Ｄ＞０．５×Ｆの場合に
Ｄ−０．５×Ｆ＜ＣＴｓ＜Ｄ−Ｂが満たされ、又は
Ｄ≦０．５×Ｆの場合に
Ｄ＋０．５×Ｆ＜ＣＴｓ＜Ｆ又は０＜ＣＴｓ＜Ｄ−Ｂが満たされれば、
同期調整信号ＳＡＳａ（ｓ１）と、垂直同期信号ＨＣｖ（ｈ１）との位相差が許容範囲ＲＰＤ外であり、かつ垂直同期信号ＨＣｖ（ｈ１）が同期調整信号ＳＡＳａ（ｓ１）に対して遅れていると判断し、
Ｄ＞０．５×Ｆの場合に、
Ｄ＋Ａ＜ＣＴｓ＜Ｆ又はＣＴｓ＜Ｄ−０．５×Ｆが満たされ、
Ｄ≦０．５×Ｆの場合に、
Ｄ＋Ａ＜ＣＴｓ＜Ｄ＋０．５×Ｆが満たされれば、
同期調整信号ＳＡＳａ（ｓ１）と垂直同期信号ＨＣｖ（ｈ１）の位相差が許容範囲外であり、かつ（図８（ｄ）及び（ｆ）に示すように）垂直同期信号ＨＣｖ（ｈ１）が同期調整信号ＳＡＳａ（ｓ１）に対して進んでいると判断する。
【００９１】
図９（ａ）〜（ｈ）のように、Ｄ−Ｂ＜０でかつＤ＋Ａ＜Ｆの場合（この場合、上記のように、ＢはＦの１／４よりも小さいので、Ｄは０．５×Ｆよりも小さい）には、
Ｄ−Ｂ＋Ｆ≦ＣＴｓ＜Ｆ      （Ｆ４）
又は
０≦ＣＴｓ≦Ｄ＋Ａ      （Ｆ５）
が満たされれば、同期調整信号ＳＡＳａ（ｓ１）と垂直同期信号ＨＣｖ（ｈ１）の位相差が許容範囲ＲＰＤ内であると判断する。
また、
Ｄ＋０．５×Ｆ＜ＣＴｓ＜Ｄ−Ｂ＋Ｆ
が満たされれば、同期調整信号ＳＡＳａ（ｓ１）と垂直同期信号ＨＣｖ（ｈ１）の位相差が許容範囲ＲＰＤ外であり、かつ垂直同期信号ＨＣｖが同期調整信号ＳＡＳに対して遅れていると判断し、
Ｄ＋Ａ＜ＣＴｓ＜Ｄ＋０．５×Ｆ
が満たされれば、位相差が許容範囲外であり、かつ垂直同期信号ＨＣｖが同期調整信号ＳＡＳに対して進んでいると判断する。
【００９２】
図１０（ａ）〜（ｈ）のように、Ｄ−Ｂ≧０でかつＤ＞Ｆ−Ａの場合（この場合、上記のように、ＡがＦの１／４よりも小さいので、Ｄは０．５×Ｆよりも大きい）には、
Ｄ−Ｂ≦ＣＴｓ＜Ｆ      （Ｆ６）
又は
０≦ＣＴｓ≦Ｄ＋Ａ−Ｆ      （Ｆ７）
が満たされれば、位相差が許容範囲内であると判断する。
また、
Ｄ−０．５×Ｆ＜ＣＴｓ＜Ｄ−Ｂ
が満たされれば、位相差が許容範囲外であり、かつ垂直同期信号ＨＣｖが同期調整信号ＳＡＳに対して遅れていると判断し、
Ｄ＋Ａ−Ｆ＜ＣＴｓ＜Ｄ−０．５×Ｆ
が満たされれば、位相差が許容範囲外であり、かつ垂直同期信号ＨＣｖが同期調整信号ＳＡＳに対して進んでいると判断する。
【００９３】
また、同期調整データＳＡＤの配信は遅らせるだけでなく、事前に、トラフィックの過密がわかっている場合には、図１１（ａ）〜（ｈ）、図１２（ａ）〜（ｈ）及び図１３（ａ）〜（ｈ）に示すように、同期調整データＳＡＤを予定よりも早く配信しても構わない。この場合に同期調整データＳＡＤと共に配信される配信時間ずれ情報ＴＤＤは、配信先行時間を表すものとなる。例えば、時間Ｅｔだけ先行配信した場合、位相差が許容範囲内かどうかの判定式としても、配信先行時間Ｅｔに相当するカウント値Ｅだけずらしたものを用いる必要がある。ここで、配信先行時間Ｅｔは（配信遅延時間Ｄｔと同様に）１フレーム期間よりも短く、従ってＥ＜Ｆであるとする。
【００９４】
図１１（ａ）〜（ｈ）は、Ｆ−Ｅ−Ｂ≧０、即ちＥ＋Ｂ≦Ｆでかつ０≦Ｆ−Ｅ＋Ａ≦Ｆ、即ち０≦Ｅ−Ａの場合で、かつＥ＜０．５×Ｆの場合を示し、
図１２（ａ）〜（ｈ）は、Ｆ−Ｅ−Ｂ＜０即ちＥ＋Ｂ＞ＦでかつＦ−Ｅ＋Ａ＜Ｆ即ちＥ−Ａ＞０の場合を示し、
図１３（ａ）〜（ｈ）は、Ｆ−Ｅ−Ｂ＞０、即ちＥ＋Ｂ＜ＦでかつＦ−Ｅ＋Ａ＞Ｆ、即ちＡ−Ｅ＞０の場合を示す。
また、図１１（ａ）〜（ｈ）、図１２（ａ）〜（ｈ）、及び図１３（ａ）〜（ｈ）はいずれも、同期調整信号ＳＡＳａに対して垂直同期信号ＨＣｖが進んでいる場合を示す。
【００９５】
図１１（ａ）〜（ｈ）のように、Ｆ−Ｅ−Ｂ≧０、即ちＥ＋Ｂ≦Ｆでかつ０≦Ｆ−Ｅ＋Ａ≦Ｆ、即ち０≦Ｅ−Ａの場合には、
Ｆ−Ｅ−Ｂ≦ＣＴｓ≦Ｆ−Ｅ＋Ａ      （Ｆ８）
が満たされれば、同期調整信号ＳＡＳａ（ｓ１）と垂直同期信号ＨＣｖ（ｈ１）の位相差が許容範囲ＲＰＤ内であると判断する。
また、
Ｅ≦０．５×Ｆの場合に、
０．５×Ｆ−Ｅ＜ＣＴｓ＜Ｆ−Ｅ−Ｂが満たされ、又は
Ｅ＞０．５×Ｆの場合に、
１．５×Ｆ−Ｅ＜ＣＴｓ＜Ｆ又は０＜ＣＴｓ＜Ｆ−Ｅ−Ｂが満たされれば、
同期調整信号ＳＡＳａ（ｓ１）と垂直同期信号ＨＣｖ（ｈ１）の位相差が許容範囲ＲＰＤ外であり、かつ垂直同期信号ＨＣｖ（ｈ１）が同期調整信号ＳＡＳａ（ｓ１）に対して遅れていると判断し、
Ｅ≦０．５×Ｆの場合に、
Ｆ−Ｅ＋Ａ＜ＣＴｓ＜Ｆ又は０＜ＣＴｓ＜０．５×Ｆ−Ｅが満たされ、
Ｅ＞０．５×Ｆの場合に、
Ｆ−Ｅ＋Ａ＜ＣＴｓ＜１．５×Ｆ−Ｅが満たされれば、
同期調整信号ＳＡＳａ（ｓ１）と垂直同期信号ＨＣｖ（ｈ１）の位相差が許容範囲ＲＰＤ外であり、かつ垂直同期信号ＨＣｖ（ｈ１）が同期調整信号ＳＡＳａ（ｓ１）に対して進んでいると判断する。
【００９６】
図１２（ａ）〜（ｈ）のように、Ｆ−Ｅ−Ｂ＜０即ちＥ＋Ｂ＞ＦでかつＦ−Ｅ＋Ａ＜Ｆ即ちＥ−Ａ＞０の場合（この場合、上記のように、ＢはＦの１／４よりも小さいので、Ｅは、０．５×Ｆよりも大きい）には、
２×Ｆ−Ｅ−Ｂ≦ＣＴｓ＜Ｆ又は０≦ＣＴｓ≦Ｆ−Ｅ＋Ａ
が満たされれば、同期調整信号ＳＡＳａ（ｓ１）と垂直同期信号ＨＣｖ（ｈ１）の位相差が許容範囲ＲＰＤ内であると判断する。
また、
１．５×Ｆ−Ｅ≦ＣＴｓ＜２×Ｆ−Ｅ−Ｂ
が満たされれば、同期調整信号ＳＡＳａ（ｓ１）と垂直同期信号ＨＣｖ（ｈ１）の位相差が許容範囲ＲＰＤ外であり、かつ垂直同期信号ＨＣｖが同期調整信号ＳＡＳに対して遅れていると判断し、
Ｆ−Ｅ＋Ａ＜ＣＴｓ＜１．５×Ｆ−Ｅ
が満たされれば、同期調整信号ＳＡＳａ（ｓ１）と垂直同期信号ＨＣｖ（ｈ１）の位相差が許容範囲ＲＰＤ外であり、かつ垂直同期信号ＨＣｖが同期調整信号ＳＡＳに対して進んでいると判断する。
【００９７】
図１３（ａ）〜（ｈ）のように、Ｆ−Ｅ−Ｂ＞０、即ちＥ＋Ｂ＜ＦでかつＦ−Ｅ＋Ａ＞Ｆ、即ちＡ−Ｅ＞０の場合（この場合、上記のように、ＡはＦの１／４よりも小さいので、Ｅは０．５×Ｆよりも小さい）には、
Ｆ−Ｅ−Ｂ≦ＣＴｓ＜Ｆ又は０＜ＣＴｓ≦Ａ−Ｅ      （Ｆ９）
が満たされれば、同期調整信号ＳＡＳａ（ｓ１）と垂直同期信号ＨＣｖ（ｈ１）の位相差が許容範囲ＲＰＤ内であると判断する。
０．５×Ｆ−Ｅ＜ＣＴｓ＜Ｆ−Ｅ−Ｂ
が満たされれば、同期調整信号ＳＡＳａ（ｓ１）と垂直同期信号ＨＣｖ（ｈ１）の位相差が許容範囲ＲＰＤ外であり、かつ垂直同期信号ＨＣｖが同期調整信号ＳＡＳに対して遅れている判断する。
Ａ−Ｅ＜ＣＴｓ＜０．５×Ｆ−Ｅ
が満たされれば、同期調整信号ＳＡＳａ（ｓ１）と垂直同期信号ＨＣｖ（ｈ１）の位相差が許容範囲ＲＰＤ外であり、かつ垂直同期信号ＨＣｖが同期調整信号ＳＡＳに対して進んでいると判断する。
【００９８】
なお、カウンタは、垂直ライン数を数えるカウンタに限るものではなく、局部クロック生成手段１０が生成するクロックパルスの数を数えるカウンタでも良く、時刻データを出力するタイマーでもよい。また、垂直同期信号ＨＣｖでリセットするものに限るものではなく、垂直同期信号ＨＣｖの入力時のカウント値、同期調整信号ＳＡＳの入力時のカウント値の差を求めるようにしてもよい。
【００９９】
以上のように、配信装置ＴＡ内のシステム基準時計１をもとに、データ生成手段３において同期調整データＳＡＤを生成し、第１乃至第Ｎの表示装置ＨＳ−１〜ＨＳ−Ｎ内のデータ受信手段６の同期調整信号生成手段６３において同期調整データＳＡＤに基づいて同期調整信号ＳＡＳを生成し、画像再生／更新制御手段７の制御信号発生手段７１において、画像表示手段８での再生画像ＲＶの更新タイミングを決定する画像表示制御信号ＨＣを、前記同期調整信号ＳＡＳとの位相関係が、ある一定範囲（位相差許容範囲）内に抑えられるように調整することにより、第１乃至第Ｎの表示装置ＨＳ−１〜ＨＳ−Ｎ間の再生画像ＲＶの更新タイミングのずれを、一定範囲内に維持することができる。
【０１００】
また、画像表示制御信号ＨＣとして、水平同期信号ＨＣｈ及び垂直同期信号ＨＣｖの少なくとも一方を使用し、水平同期信号ＨＣｈ及び／又は垂直同期信号ＨＣｖの周期（各ラインのドット数（水平総画素数）及び／又は各フレームのライン数（垂直総ライン数）を制御（増減）することにより、再生画像ＲＶの更新タイミングを徐々に遅らせたり、進めたりすることができる。各ラインのドット数を増減するには、例えば、水平ブランキング期間内の無効画素を増減させることで水平ブランキング期間の長さを変えることとしても良く、各フレームのライン数を増減するには、例えば、垂直ブランキング期間内の無効ラインを増減させることで垂直ブランキング期間の長さを変えることとしても良い。
【０１０１】
ドット数（画素数）を増減するとは、各ライン期間中に、各画素の信号の出力のために同期信号として供給される画素クロックの数(クロック周期の数)を増減することを意味する。ライン数を増減するとは、各フレーム期間中に発生される画素クロックの数（クロック周期の数）を、各ラインの画素のための画素クロックの数で割った値を増減することを意味する。
局部クロックＬＣＫがそのまま画素クロックとして用いられる場合、及び局部クロックＬＣＫに基づいて（例えば分周することにより）画素クロックが生成される場合のいずれでも、上記各期間中に発生される画素クロックの数を増減するとは、上記各期間中に発生される局部クロックＬＣＫの数を増減することを意味する。
【０１０２】
上記のように水平同期信号ＨＣｈ及び／又は垂直同期信号ＨＣｖの周期を増減することで、再生処理（復号処理）に影響を及ぼすことなく、再生処理の後段にて、画像表示手段８上で認識されない程度に徐々にずれを補正し、一定範囲内で同期を維持することが可能である。
各表示装置における位相の制御が上記のように許容範囲ＲＰＤ内（±ＨＲＰ内）に抑えることを目標として行われるとすると、２つの表示装置間の画像更新タイミングの差（位相差）は最大ＲＰＤ（ＨＲＰ×２）となる。
【０１０３】
なお、上記のように、同期調整データＳＡＤを受信したときに直ちに同期調整信号ＳＡＳを発生するのではなく、同期調整データＳＡＤの受信のタイミングに対する同期調整信号ＳＡＳの発生のタイミングに時間的ずれ乃至位相差を生じさせることとしても良い。また、上記位相差は表示装置間で同じであっても良く、互いに異なっていても良く、また時間の経過とともに、例えばフレーム毎に変化する値であっても良い。このような位相差は、制御の目標とされるものであるので、目標の位相差とも呼ばれる。
上記の目標の位相差を表示装置間で互いに異なる値とすることにより、画像更新タイミングを表示装置間で互いに異ならせることができる。例えば２つの表示装置（それぞれ符号ＨＳ−ｉ、ＨＳ−ｊで表す）に、互いに異なる目標の位相差ＴＰＤｉ、ＴＰＤｊを持たせることで、該２つの表示装置における画像更新タイミングが、上記位相差の差ΔＴＰＤ＝ＴＰＤｉ−ＴＰＤｊに相当するものとなるように制御されることになる。
複数の表示装置において、画像が順に更新される（複数の表示装置において表示内容が時間的にずらしながら順に切り替えられる）ように、上記位相差を表示装置間で互いに異なる値とし、これにより表示コンテンツを複数の表示装置間で連動させて表示することとしても良い。一例として、歩く歩道に沿って配置した複数の表示装置の表示コンテンツの更新を時間的にずらしながら行うことが考えられる。
【０１０４】
再生画像ＲＶの更新タイミングの同期をネットワークの伝送遅延のばらつきの程度に応じた一定範囲内に抑えて過剰な制御をかけないため、ばらつきによる更新タイミングへの悪影響を抑えることができる。
【０１０５】
ネットワークのトラフィック状態にあわせて、配信装置ＴＡからの同期調整データＳＡＤの配信タイミングを調整することができる。そのため、再生制御情報付き画像データＶＣＤの配信に影響を与えることなく、その合間の比較的トラフィックが少なく、処理負荷が小さい時間に同期調整データＳＡＤを配信することが可能であり、伝送遅延を抑えた送受信が可能である。
【０１０６】
なお、上記の例では、表示装置ＨＳ−ｎ内の同期調整信号生成手段６３において、同期調整データＳＡＤが供給される毎に（従って、フレーム毎に）同期調整信号ＳＡＳが生成されるものとして記載したが、これに限るものではなく、同期調整データＳＡＤの供給よりも低い頻度で同期調整信号ＳＡＳを生成してもよい。例えば、同期調整データＳＡＤが２以上の所定回数供給される毎に同期調整信号ＳＡＳを生成することとしても良い。
【０１０７】
また、配信装置ＴＡ内のデータ生成手段３において、同期調整データＳＡＤをフレーム毎に生成せず、例えば複数フレーム毎に１回生成することとしても良く、また、データ配信手段４において、フレーム毎に配信せず、例えば複数フレーム毎に１回配信することとしても良い。複数フレームに１回配信される場合には、表示装置ＨＳ−ｎ内の同期調整信号生成手段６３において、複数フレームに１回配信される同期調整データＳＡＤから、フレーム毎の同期調整信号ＳＡＳを生成することとしても良い。
さらにまた、同期調整信号ＳＡＳと垂直同期信号ＨＣｖの位相差の検出（及び検出結果に基づき垂直同期信号ＨＣｖの位相調整）を、垂直同期信号ＨＣｖの周期の複数倍で行っても良い。この垂直同期信号ＨＣｖの周期の複数倍は、垂直同期信号ＨＣｖよりも低い頻度で発生される同期調整信号ＳＡＳの周期であっても良い。
一般化して言えば、同期調整信号ＳＡＳと垂直同期信号ＨＣｖの位相差の検出は、垂直同期信号ＨＣｖの周期のＭ倍（Ｍは１以上の整数）で行えば良い。Ｍが２以上の場合には、Ｍ番目毎の垂直同期信号ＨＣｖと同期調整信号ＳＡＳとの位相差を検出することになる。
【０１０８】
実施の形態２．
図１４は、本発明の実施の形態２に係るマルチ画面表示システムの要部構成を示すブロック図である。図１に示す実施の形態１に係るマルチ画面表示システムと類似の構成を有しているが、実施の形態１の第１乃至第Ｎの表示装置ＨＳ−１〜ＨＳ−Ｎの各々のデータ受信手段６が、画像データ受信手段６ａ及び同期調整データ受信手段６ｂを含み、入力端子９が入力端子９ａ及び９ｂを含む点で異なる。なお、実施の形態１と同様の機能を有する部位には同一の符号を付している。
【０１０９】
画像データ受信手段６ａは、入力端子９ａより入力された再生制御情報付き画像データＶＣＤを一時的にバッファに保存し、画像再生／更新制御手段７からの読み出し制御信号ＲＣＳにより、画像再生／更新制御手段７に出力する。
【０１１０】
同期調整データ受信手段６ｂは、入力端子９ｂから同期調整データＳＡＤが入力され、同期調整信号ＳＡＳを生成して画像再生／更新制御手段７に出力する。
【０１１１】
図１５は、画像データ受信手段６ａの要部構成を示すブロック図である。入力端子６６ａが実施の形態１のデータ受信手段６の入力端子６６と異なり、再生制御情報付き画像データＶＣＤが入力される。
【０１１２】
図１６は、同期調整データ受信手段６ｂの要部構成を示すブロック図である。入力端子６６ｂが実施の形態１のデータ受信手段６の入力端子６６と異なり、同期調整データＳＡＤが入力される。
【０１１３】
画像データ受信手段６ａが入力端子９ａを介して受信する再生制御情報付き画像データＶＣＤは、比較的データ容量の大きなデータであるため、再生制御情報ＲＣＤにある再生時刻までに画像データ受信手段６ａ内の受信バッファ６２に格納されていればよい（画像系処理と記す）。一方、同期調整データ受信手段６ｂが入力端子９ｂを介して受信する同期調整データＳＡＤは、データ容量としては小さなデータであるが、再生画像ＲＶの更新タイミングを調整する同期調整信号ＳＡＳを生成する（制御系処理と記す）ものであり、できるだけ遅延を少なくする必要がある。
【０１１４】
上述のように、異なる特性（配信、処理に対する要求）をもつ画像系と制御系で系を分けることにより、画像系処理の負荷により、制御系処理が遅延することを防ぐことができ、第１乃至第Ｎの表示装置ＨＳ−１〜ＨＳ−Ｎ間での再生画像ＲＶの更新タイミングの同期阻害要因を排除、軽減することができる。
【０１１５】
変形例として、図１７に示すように、ネットワークＮＷを、画像系処理用のデータを配信するネットワークＮＷａと、制御系処理用のデータを配信するネットワークＮＷｂに分け、データ配信手段４から出力される再生制御情報付き画像データＶＣＤを出力端子５ａを介し、ネットワークＮＷａを経由して表示装置に配信し、データ配信手段４から出力される同期調整データＳＡＤを出力端子５ｂを介し、ネットワークＮＷｂを経由して表示装置に配信することとしても良い。このような構成の場合、再生制御情報付き画像データＶＣＤの配信のためのネットワークＮＷａとして、帯域の大きなネットワークを採用し、同期調整データＳＡＤの配信のためのネットワークＮＷｂとして、低遅延、あるいは遅延ばらつきの少ないネットワークを採用するなど、配信データの特徴に応じたネットワーク、プロトコルを選択することにより、より大きな効果を得ることができる。
【０１１６】
実施の形態３．
図１８は、本発明の実施の形態３に係るマルチ画面表示システムの画像再生／更新制御手段７の要部構成を示すブロック図である。図１８の画像再生／更新制御手段７は、図３に示す画像再生／更新制御手段７と類似の構成を有しているが、図３の制御信号発生手段７１の代わりに制御信号発生手段９０が設けられている点で異なる。
【０１１７】
制御信号発生手段９０で後述のようにして生成された局部クロック制御信号ＬＣＫＣＳが、局部クロック生成手段１０に出力され、局部クロック生成手段１０で生成された基準クロックＬＣＫが制御信号発生手段９０に入力される。
【０１１８】
制御信号発生手段９０は、例えば、図１９に示すように、復号処理制御信号発生手段９１と、画像表示制御信号発生手段９２と、周期カウンタ９３と、局部クロック制御手段９４と、入力端子９７、９８ａと、出力端子９５、９６、９８ｂを備えている。端子９８ａ、９８ｂは、端子７８ａ、７８ｂに接続されている。
【０１１９】
復号処理制御信号発生手段９１は、局部クロック生成手段１０が発生するクロックＬＣＫに基づいて生成した復号処理制御信号ＤＣＳを、出力端子９５を介して復号処理手段７２に出力する。
【０１２０】
画像表示制御信号発生手段９２は、実施の形態１で説明したカウンタ７１ａと同様のカウンタ７１ａを備え、入力端子９８ａを介して局部クロック生成手段１０から入力される局部クロックＬＣＫをカウントして、復号処理制御信号発生手段９１から出力される復号処理制御信号ＤＣＳ、局部クロック制御手段９４から出力されるクロックレディ信号ＣＫＲＤＹに基づき、画像表示制御信号ＨＣを生成する。
画像表示制御信号ＨＣには、垂直同期信号ＨＣｖ、水平同期信号ＨＣｈ、及び画素クロックＤＣＫが含まれる。垂直同期信号ＨＣｖ及び水平同期信号ＨＣｈは、カウンタ７１ａでクロックＬＣＫをカウントすることで生成される。
垂直同期信号ＨＣｖ、水平同期信号ＨＣｈ、及び画素クロックＤＣＫは、出力端子９６を介してメモリ制御手段７３に供給される。画像表示制御信号ＨＣは、局部クロックＬＣＫを元に生成されるため、その周波数を制御することにより、画像表示制御信号ＨＣの位相（出力タイミング）を制御することが可能である。
垂直同期信号ＨＣｖは、周期カウンタ９３にも供給される。
【０１２１】
周期カウンタ９３は、入力端子９８ａを介して局部クロック生成手段１０から入力される局部クロックＬＣＫをカウントする、周期をＴ（Ｔは正の実数）とする周期カウンタである。
周期カウンタ９３は、画像表示制御信号発生手段９２から画像表示制御信号ＨＣが入力され、カウント値ＣＴを局部クロック制御手段９４に出力する。
周期Ｔは、画像再生／更新処理前には（即ち、時刻Ｔ２以前は）、配信装置ＴＡから出力される同期調整データＳＡＤの配信周期として配信装置ＴＡと第ｎの表示装置ＨＳ−ｎで取り決められた周期ＴＳＡＤであり、従ってこの間は該周期ＴＳＡＤに相当するカウント数ＣＴＳＡＤに達するまでのカウントを繰り返す。
画像再生／更新処理レディ状態開始（時刻Ｔ２）以降は、周期Ｔは、画像表示制御信号発生手段９２から入力される画像表示制御信号ＨＣ（垂直同期信号ＨＣｖ）の周期ＴＨＣｖのＭ倍（Ｍは正の整数）である。
以下で説明する例のように、周期ＴＨＣｖが周期ＴＳＡＤに等しい場合には、時刻Ｔ２以降に用いられるカウント数ＣＴＨＣｖ（＝Ｆ）は、時刻Ｔ２以前に用いられるカウント数ＣＴＳＡＤと同じである。
【０１２２】
局部クロック制御手段９４は、周期カウンタ９３から入力されるカウント値ＣＴ、及び入力端子９７を介して入力される同期調整信号ＳＡＳに基づき、局部クロック制御信号ＬＣＫＣＳを生成して、出力端子９８ｂから局部クロック生成手段１０に出力する。また、クロックレディ信号ＣＫＲＤＹを画像表示制御信号発生手段９２に出力する。
【０１２３】
次に、図４（ａ）〜（ｇ）及び図５（ａ）〜（ｇ）、並びに図２０（ａ）〜（ｅ）及び図２１（ａ）〜（ｅ）を用いて、配信装置ＴＡから出力される同期調整データＳＡＤをもとに、第１乃至第Ｎの表示装置ＨＳ−１〜ＨＳ−Ｎの各々において、データ受信手段６内の同期調整信号生成手段６３から出力される同期調整信号ＳＡＳに基づいて画像再生／更新制御手段７から画像表示手段８へ出力される画像表示制御信号ＨＣの位相を制御する処理について説明する。以下では、主に第１乃至第Ｎの表示装置のうちの任意のものである第ｎの表示装置ＨＳ−ｎと配信装置ＴＡの動作について説明する。
なお、図４（ａ）〜（ｇ）、図５（ａ）〜（ｇ）の符号ＣＴ、Ｆ、Ａ、Ｂなどは、実施の形態１では、ライン数、又はライン数に対応する設定値を表すものであるが、実施の形態３では、クロックＣＬＫの数又はそれに対応する設定値を表す。図２０（ａ）〜（ｅ）及び図２１（ａ）〜（ｅ）でも同様である。
【０１２４】
図４（ｂ）及び図５（ｂ）に示される同期調整データＳＡＤは、配信装置ＴＡ内のシステム基準時計１をもとに、データ生成手段３において周期的なタイミングで生成され出力される。
【０１２５】
同期調整データＳＡＤは、配信装置ＴＡから表示装置ＨＳ−１〜ＨＳ−Ｎに配信され、表示装置ＨＳ−１〜ＨＳ−Ｎの各々において、受信した同期調整データＳＡＤに基づいて同期調整信号ＳＡＳ（図４（ｃ）、図５（ｃ））が生成され、同期調整信号ＳＡＳと垂直同期信号ＨＣｖ（図４（ｄ）、図５（ｄ））が比較され、これらの位相差が許容範囲ＲＰＤ（図４（ｆ）、図５（ｆ））内でなければ、垂直同期信号ＨＣｖ（図４（ｄ）、図５（ｄ））の位相を調整する。
【０１２６】
同期調整信号ＳＡＳと垂直同期信号ＨＣｖの位相差が許容範囲かどうかの判断は、後述のように、各表示装置内の制御信号発生手段９０の局部クロック制御手段９４において周期カウンタ９３によるカウント値ＣＴ（図４（ｇ）、図５（ｇ））に基づいて行われる。即ち、周期カウンタ９３のカウント値ＣＴのうち、同期調整信号ＳＡＳを受信したときのカウント値ＣＴｓに基づき、同期調整信号ＳＡＳと垂直同期信号ＨＣｖの位相差が許容範囲ＲＰＤ内にあるかどうかを判定し、許容範囲外と判定されたときは、さらに同期調整信号ＳＡＳに対して垂直同期信号ＨＣｖが遅れているか進んでいるかを判定し、この判定の結果に基づいて、その後の（次のフレーム、或いはそれ以降の）垂直同期信号ＨＣｖが出力される位相を調整する。本発明の実施の形態３では、実施の形態１とは異なり、局部クロックＬＣＫの周波数を制御することにより、垂直同期信号ＨＣｖの出力位相を調整し、位相差を所定の誤差範囲に抑えるよう制御を行う。
このような処理は、上記カウント値ＣＴｓに基づいて同期調整信号ＳＡＳの１フレーム中の位置を算出し、その結果に基づき位相差を算出し、算出した位相差に基づいて、その後の（次のフレーム、或いはそれ以降の）垂直同期信号ＨＣｖが出力される位相を調整することを意味する。従って、カウント値ＣＴｓに基づく制御（位相調整）を単に位相差に基づく制御（位相調整）と言うことがある。
【０１２７】
位相差は、同期調整信号ＳＡＳに対して垂直同期信号ＨＣｖが進んでいる場合に正の値で表し、同期調整信号ＳＡＳに対して垂直同期信号ＨＣｖが遅れている場合に負の値で表すこともあるが、正負の符号を無視した絶対値を位相差ということもある。
【０１２８】
以下では、同期調整データＳＡＤは、フレーム毎に周期的に配信されるもので、フレーム同期信号ＳＹｆ（図４（ａ）、図５（ａ））に同期して発生されるものであるとして説明するが、これに限るものではなく、一般的に言えば、Ｍ（Ｍは１以上の整数）フレームに１度配信するように構成すればよい。
【０１２９】
図４（ａ）〜（ｇ）及び図５（ａ）〜（ｇ）では、最初の１フレーム期間ｖ１がｖａである場合が示されている。
また、図４（ａ）において、フレーム同期信号ＳＹｆのうち、各フレームに発生されるものが符号ｔ１〜ｔ６で示され、図４（ｃ）において、同期調整信号ＳＡＳのうちの、各タイミングで発生されるものが符号ｓ１〜ｓ６で示され、図４（ｄ）及び（ｅ）において、垂直同期信号ＨＣｖのうちの各タイミングで発生されるものが符号ｈ１〜ｈ６で示されている。同様に、図５（ａ）において、フレーム同期信号ＳＹｆのうち、各フレームに発生されるものが符号ｔ１〜ｔ５で示され、図５（ｃ）において、同期調整信号ＳＡＳのうちの、各タイミングで発生されるものが符号ｓ１〜ｓ５で示され、図５（ｄ）及び（ｅ）において、垂直同期信号ＨＣｖのうちの各タイミングで発生されるものが符号ｈ０〜ｈ５で示されている。
【０１３０】
図２０（ａ）〜（ｅ）及び図２１（ａ）〜（ｅ）は、それぞれ図４（ａ）〜（ｇ）及び図５（ａ）〜（ｇ）の最初の１フレーム期間及びその前後における、周期カウンタ９３によるカウント値ＣＴと位相差許容範囲ＲＰＤとの関係を示す。この周期カウンタ９３は、垂直同期信号ＨＣｖでリセットされた後、次に同期調整信号ＳＡＳが検出されるまでの局部クロックＬＣＫのカウントのために用いられる。周期カウンタ９３は、必ずしも垂直同期信号ＨＣｖ毎にリセットする必要はなく、一般的に言えば周期Ｔ（垂直同期信号ＨＣｖの周期のＭ倍（Ｍは１以上の整数））毎にリセットするように構成すればよい。
【０１３１】
図２０（ａ）〜（ｅ）及び図２１（ａ）〜（ｅ）では、図４（ａ）〜（ｇ）及び図５（ａ）〜（ｇ）のフレーム同期信号ＳＹｆ、同期調整データＳＡＤ、位相調整しない場合の垂直同期信号ＨＣｖが省略され、同期調整信号ＳＡＳ、位相調整された垂直同期信号ＨＣｖ、位相差許容範囲ＲＰＤ、カウント値ＣＴが示されている。
【０１３２】
位相許容範囲ＲＰＤは、垂直同期信号ＨＣｖに対して、その前後の一定期間から成り、位相許容範囲ＲＰＤを定める所定値Ａ、Ｂは、ネットワークの伝送遅延のばらつきを考慮して設定される。ネットワーク自体に伝送遅延のばらつきがあり、ＮＴＰを使った時刻同期についても、数ミリ秒以下の誤差があるため、その精度以下での調整は意味をなさない。
【０１３３】
図４（ａ）〜（ｇ）は、位相調整をしない場合の垂直同期信号ＨＣｖ（ｈ１〜ｈ６）が、同期調整信号ＳＡＳ（ｓ１〜ｓ６）に対して進んでおり、位相差（の絶対値）がｄ１である場合を示す。
１フレーム目において、配信装置ＴＡの１フレーム期間と、表示装置ＨＳ−ｎの１フレーム期間の長さは、同じｖ１（＝ｖａ）であるとしている。
【０１３４】
まず、時刻ｔ１で、制御信号発生手段９０は、同期調整信号生成手段６３より出力された同期調整信号ＳＡＳ（ｓ１）と、垂直同期信号ＨＣｖ（ｈ１）との位相差ｄ１を算出する。具体的には、周期カウンタ９３で、時刻ｔ１の直前の垂直同期信号ＨＣｖ（ｈ１）でリセットし、その後の局部クロックＬＣＫを数え、同期調整信号ＳＡＳ（ｓ１）を受信したときのカウント値ＣＴｓに基づき同期調整信号ＳＡＳ（ｓ１）と垂直同期信号ＨＣｖ（ｈ１）の位相差を算出する。算出した位相差が、位相差許容範囲ＲＰＤ外（ｄ１が時刻ｔ１の直前の垂直同期信号ＨＣｖ（ｈ１）の発生タイミングを中心とする許容範囲ＲＰＤ外）にあれば、垂直同期信号ＨＣｖよりも同期調整信号ＳＡＳが遅れすぎている、逆に言えば、同期調整信号ＳＡＳに対して垂直同期信号ＨＣｖの位相が進みすぎていると判断し、次のフレーム（ｈ２からｈ３まで）の長さｖ２を今のフレームの長さｖ１よりも長くする（垂直同期信号ＨＣｖの発生間隔を長くする）。これは、局部クロックＬＣＫの周波数を低くすることにより行い得る。局部クロック生成手段１０を電圧制御発振器（ＶＣＸＯ）で構成した場合、印加する制御電圧を低くすることにより、局部クロックＬＣＫの周波数を低くすることが可能である。
垂直同期信号ＨＣｖの発生間隔ＴＨＣｖ（ｖ１、ｖ２、ｖ３…）を長くする量（調整幅）は、予め定めた値であっても良く、検出された位相差に応じて定める（例えば位相差が大きいほど大きくする）こととしても良い。
【０１３５】
同様に、時刻ｔ２で、同期調整信号ＳＡＳ（ｓ２）と垂直同期信号ＨＣｖ（ｈ２）との位相差を算出し、やはり垂直同期信号ＨＣｖ（ｈ２）が同期調整信号ＳＡＳ（ｓ２）に対して進んでおり、かつ（調整後の）位相差ｄ１ｍが位相差許容範囲ＲＰＤ外と判定されたときは、次のフレーム（ｈ３からｈ４まで）の長さｖ３を、ｖ２よりも長くする。
【０１３６】
同様に、時刻ｔ３で、同期調整信号ＳＡＳ（ｓ３）と垂直同期信号ＨＣｖ（ｈ３）との位相差を算出し、やはり垂直同期信号ＨＣｖ（ｈ３）が同期調整信号ＳＡＳ（ｓ３）に対して進んでおり、かつ（調整後の）位相差ｄ１ｍが位相差許容範囲ＲＰＤ外と判定されたときは、次のフレーム（ｈ４からｈ５まで）の長さｖ４を、ｖ３よりも長くする。
【０１３７】
時刻ｔ４で、同期調整信号ＳＡＳ（ｓ４）と垂直同期信号ＨＣｖ（ｈ４）との位相差を算出し、（調整後の）位相差ｄ１ｍが位相差許容範囲ＲＰＤの内と判定されたとすると、次のフレーム（ｈ５からｈ６まで）の長さｖ４をそのまま（前フレームと同じ）とする。
【０１３８】
それ以降、垂直同期信号ＨＣｖと同期調整信号ＳＡＳの位相差が、位相差許容範囲ＲＰＤ内である限り、フレームの長さはｖ４（＞ｖ１）に保たれ、その結果、同期調整信号ＳＡＳに対して垂直同期信号ＨＣｖは次第に位相が遅れていく（遅れる方向に変化する）。
【０１３９】
図５（ａ）〜（ｇ）は、位相調整をしない場合の垂直同期信号ＨＣｖ（ｈ０〜ｈ５）が、同期調整信号ＳＡＳ（ｓ１〜ｓ５）に対して遅れており、位相差（の絶対値）がｄ２である場合を示す。
１フレーム目において、配信装置ＴＡの１フレーム期間と、表示装置ＨＳ−ｎの１フレーム期間の長さは、同じｖ１（＝ｖａ）である。
【０１４０】
まず、時刻ｔ１で、制御信号発生手段９０は、同期調整信号生成手段６３より出力された同期調整信号ＳＡＳ（ｓ１）と、垂直同期信号ＨＣｖ（ｈ１）との位相差ｄ２を算出する。具体的には、周期カウンタ９３で、時刻ｔ１の直前の垂直同期信号ＨＣｖ（ｈ０）でリセットし、その後の局部クロックＬＣＫを数え、同期調整信号ＳＡＳ（ｓ１）を受信したときのカウント値ＣＴｓに基づき同期調整信号ＳＡＳ（ｓ１）と垂直同期信号ＨＣｖ（ｈ１）の位相差を算出する。算出した位相差が、位相差許容範囲ＲＰＤ外（ｄ２が時刻ｔ１の次の垂直同期信号ＨＣｖ（ｈ１）の発生タイミングを中心とする許容範囲ＲＰＤ外）にあれば、垂直同期信号ＨＣｖよりも同期調整信号ＳＡＳが進みすぎている、即ち、同期調整信号ＳＡＳに対して垂直同期信号ＨＣｖの位相が遅れすぎていると判断し、次のフレーム（ｈ１からｈ２まで）の長さｖ２を今のフレームの長さｖ１よりも短くする（垂直同期信号ＨＣｖの発生間隔を短くする）。これは、局部クロックＬＣＫの周波数を高くすることにより行い得る。局部クロック生成手段１０を電圧制御発振器（ＶＣＸＯ）で構成した場合、印加する制御電圧を高くすることにより、局部クロックＬＣＫの周波数を高くすることが可能である。
短くする量（調整幅）は、予め定めた値であっても良く、検出された位相差に応じて定める（例えば位相差が大きいほど大きくする）こととしても良い。
【０１４１】
同様に、時刻ｔ２で、同期調整信号ＳＡＳ（ｓ２）と垂直同期信号ＨＣｖ（ｈ２）との位相差を算出し、やはり垂直同期信号ＨＣｖ（ｈ２）が同期調整信号ＳＡＳ（ｓ２）に対して遅れており、かつ（調整後の）位相差ｄ２ｍが位相差許容範囲ＲＰＤ外と判定されたときは、次のフレーム（ｈ２からｈ３まで）の長さｖ３を、ｖ２よりも短くする。
【０１４２】
同様に、時刻ｔ３で、同期調整信号ＳＡＳ（ｓ３）と垂直同期信号ＨＣｖ（ｈ３）との位相差を算出し、やはり垂直同期信号ＨＣｖ（ｈ３）が同期調整信号ＳＡＳ（ｓ３）に対して遅れており、かつ（調整後の）位相差ｄ２ｍが位相差許容範囲ＲＰＤ外と判定されたときは、次のフレーム（ｈ３からｈ４まで）の長さｖ４を、ｖ３よりも短くする。
【０１４３】
時刻ｔ４で、同期調整信号ＳＡＳ（ｓ４）と垂直同期信号ＨＣｖ（ｈ４）との位相差を算出し、（調整後の）位相差ｄ２ｍが位相差許容範囲ＲＰＤの内と判定されたとすると、次のフレーム（ｈ４からｈ５まで）の長さｖ４はそのまま（前フレームと同じ）とする。
【０１４４】
それ以降、垂直同期信号ＨＣｖと同期調整信号ＳＡＳの位相差が、位相差許容範囲ＲＰＤ内である限り、フレームの長さはｖ４（＜ｖ１）に保たれ、その結果、同期調整信号ＳＡＳに対して垂直同期信号ＨＣｖは次第に位相が進んでいく（進む方向に変化する）。
【０１４５】
以上のように、同期調整信号ＳＡＳに対して垂直同期信号ＨＣｖの位相が進んでいる場合には、垂直同期信号ＨＣｖの発生を遅らせ、逆に、同期調整信号ＳＡＳに対して垂直同期信号ＨＣｖの位相が遅れている場合には、垂直同期信号ＨＣｖの発生を進めることによって、垂直同期信号ＨＣｖと同期調整信号ＳＡＳをある一定の位相差内（位相差許容範囲ＲＰＤ内）に抑えることができる。
【０１４６】
上記のように、図４（ａ）〜（ｇ）及び図５（ａ）〜（ｇ）に示す例において、上記の算出した位相差が上記の許容範囲ＲＰＤ内かどうかの判定は、表示装置ＨＳ−ｎが同期調整信号ＳＡＳを受信したときの、周期カウンタ９３のカウント値ＣＴｓが、
Ｆ−Ｂ≦ＣＴｓ      （Ｆ１０）
又は
ＣＴｓ≦Ａ      （Ｆ１１）
を満たすか否かにより行う。即ち、上記の不等式（Ｆ１０）又は（Ｆ１１）が満たされれば、位相差が許容範囲ＲＰＤ内と判断し、満たされなければ位相差が許容範囲ＲＰＤ外と判断する。
ここでＦは、１フレーム期間に発生される局部クロック（ＬＣＫ）の総数であり、Ｂ及びＡは、それぞれ０．５×Ｆを超えない正の整数であり、具体的には、Ｂ及びＡがＦの１／８〜１／４程度に決定される。即ち、Ｂ，Ａに相当する期間が１フレーム期間の１／８〜１／４の期間Ｂｔ及びＡｔに対応するカウント値となるように決定される。決定されたＢ、Ａの値は、各表示装置ＨＳ−ｎ内、例えば画像再生／更新制御手段７内に記憶されている。
なお、周期Ｔは一般的に言えば、垂直同期信号ＨＣｖの周期のＭ倍であれば良く、このとき、ＦはＭフレーム期間に発生される局部クロック（ＬＣＫ）の総数であり、Ｂ及びＡも、Ｍフレーム期間でのＢｔ及びＡｔ期間に対応するカウント値となるように決定される。
なおまた、位相差許容範囲はこれに限るものではなく、表示装置に表示する映像のフレームレートや、ネットワークの伝送遅延にあわせて決めればよい。
【０１４７】
また、
０．５×Ｆ＜ＣＴｓ＜Ｆ−Ｂ      （Ｆ１２）
が満たされる場合には、位相差が許容範囲ＲＰＤ外であり、かつ垂直同期信号ＨＣｖが同期調整信号ＳＡＳに対して遅れており、
Ａ＜ＣＴｓ＜０．５×Ｆ      （Ｆ１３）
が満たされる場合には、位相差が許容範囲ＲＰＤ外であり、かつ垂直同期信号ＨＣｖが同期調整信号ＳＡＳに対して進んでいると判断する。
【０１４８】
第１乃至第Ｎの表示装置ＨＳ−１〜ＨＳ−Ｎの各々は、配信装置ＴＡ内のシステム基準時計１で作成した同期調整データＳＡＤをもとに、データ受信手段６内の同期調整信号生成手段６３から出力される同期調整信号ＳＡＳと表示装置ＨＳ−１〜ＨＳ−Ｎの各々における画像表示手段８の画像更新タイミング（垂直同期信号ＨＣｖ）を一定の位相差内に抑えることができるため、その結果、第１乃至第Ｎの表示装置ＨＳ−１〜ＨＳ−Ｎの画像表示手段８間の画像更新タイミングについても、一定の位相差内に抑えることができる。なお、各表示装置ＨＳ−ｎにおける画像更新タイミングの制御を許容範囲ＲＰＤ内（±ＨＲＰ内）に抑えることを目標として行う場合に、任意の２つの表示装置間における画像更新タイミングの位相差は、上記の許容範囲ＲＰＤ内（ＨＲＰの２倍以内）に抑えられることになる。
【０１４９】
なお、図４（ａ）〜（ｇ）及び図５（ａ）〜（ｇ）では、同期調整信号ＳＡＳと垂直同期信号ＨＣｖの位相差の算出結果を直ちに次のフレームにて反映させているが、このようにする代わりに、位相差の一定期間の平均（所定数のフレームにわたる平均）が位相差許容範囲外となった場合や、位相差が連続して所定の回数、同じ正負の符号を有し、かつ位相差許容範囲外となった場合に、増減させるようにしてもよい。
【０１５０】
また、トラフィックの過密による伝送遅延とそのばらつきを避けるために、データ配信手段４において、配信のタイミングをずらせて不定期なタイミングとする場合には、定期的なタイミングとのズレを示す配信時間ずれ情報ＴＤＤもあわせて送信する場合がある。配信時間ずれ情報ＴＤＤが付加されている場合には実施の形態１に関し、図８(ａ)〜図１３（ｈ）を参照して説明したのと同様の変形を加えることができる。
【０１５１】
また、配信装置ＴＡ内のデータ生成手段３におけるシステム基準時計１による時刻を示す情報乃至信号の出力からの同期調整データＳＡＤの作成、配信装置ＴＡのデータ配信手段４から各表示装置ＨＳ−ｎのデータ受信手段６への同期調整データＳＡＤの配信、及び各表示装置ＨＳ−ｎの同期調整信号生成手段６３における同期調整データＳＡＤからの同期調整信号ＳＡＳの生成までの遅延により、垂直同期信号ＨＣｖと同期調整信号ＳＡＳを比較することで得られる、位相差を示す値が所定値を超える場合には、そのようにして得られた位相差を示す値は無効なもの（信頼性の低いもの）として、クロックの周波数の変更には利用しないこととしても良い。
【０１５２】
配信装置ＴＡのデータ配信手段４から各表示装置ＨＳ−ｎデータ受信手段６への同期調整データＳＡＤの配信の遅延としては、ネットワークＮＷの混雑具合によるものがあり、各表示装置ＨＳ−ｎの同期調整信号生成手段６３における同期調整データＳＡＤからの同期調整信号ＳＡＳの生成までの遅延としては、内部処理負荷状況（例えば、入力端子９から入力される再生制御情報付き画像データＶＣＤのバッファ制御手段６１への取り込みや、復号処理手段７２での復号処理）による、同期調整信号ＳＡＳの生成処理における遅延が含まれ、これらの遅延は、表示装置相互間で異なり、また時間とともに変動する。
【０１５３】
図４（ａ）〜（ｇ）及び図５（ａ）〜（ｇ）に示す例において、まず、第ｎの表示装置ＨＳ−ｎが同期調整信号ＳＡＳを受信したときの、周期カウンタ９３のカウント値ＣＴｓが、
Ｆ−Ｂｍ≦ＣＴｓ      （Ｆ１４）
又は
ＣＴｓ≦Ａｍ      （Ｆ１５）
を満たすか否かによって、上記の算出した位相差が図４（ｅ）、図５（ｅ）に示される同期調整信号有効範囲ＶＬＤ内かどうかの判定をする。Ｂｍ、Ａｍは、Ｂｍ＞Ｂ、Ａｍ＞Ａを満たす所定のカウント値である。
即ち、上記の不等式（Ｆ１４）又は（Ｆ１５）が満たされれば、位相差が同期調整信号有効範囲ＶＬＤ内と判断し、満たされなければ位相差が同期調整信号有効範囲ＶＬＤ外と判断する。
【０１５４】
同期調整信号有効範囲ＶＬＤは、垂直同期信号ＨＣｖに対して、その前後の一定期間から成り、同期調整信号有効範囲ＶＬＤを定める所定値Ａｍ及びＢｍは、ネットワークの伝送遅延のばらつき等を考慮して設定される。
【０１５５】
したがって、不等式（Ｆ１２）、（Ｆ１３）から、制御信号発生手段９０では、受信した同期調整データＳＡＳについて、表示装置ＨＳ−ｎが同期調整信号ＳＡＳを受信したときの、周期カウンタ９３のカウント値ＣＴｓが、
Ｆ−Ｂｍ≦ＣＴｓ＜Ｆ−Ｂ      （Ｆ１６）
あるいは、
Ａ＜ＣＴｓ≦Ａｍ      （Ｆ１７）
が満たされる場合には有効な同期調整信号ＳＡＳとする。不等式（Ｆ１６）が満たされる場合には、位相差が許容範囲ＲＰＤ外、同期調整信号有効範囲ＶＬＤ内、かつ垂直同期信号ＨＣｖが同期調整信号ＳＡＳに対して遅れていると判断し、不等式（Ｆ１７）が満たされる場合には、位相差が許容範囲ＲＰＤ外、同期調整信号有効範囲ＶＬＤ内、かつ垂直同期信号ＨＣｖが同期調整信号ＳＡＳに対して進んでいると判断して処理を行う。
【０１５６】
一方、
０．５×Ｆ＜ＣＴｓ＜Ｆ−Ｂｍ    （Ｆ１８）
Ａｍ＜ＣＴｓ＜０．５×Ｆ        （Ｆ１９）
のときには、同期調整に有効でない遅延を含んだ同期調整信号ＳＡＳと判断して、局部クロック制御手段９４での局部クロック制御信号ＬＣＫＣＳの生成には使用しない。
【０１５７】
局部クロック制御手段９４では、同期調整信号ＳＡＳと垂直同期信号ＨＣｖとの位相差によって、同期調整信号ＳＡＳに対して垂直同期信号ＨＣｖの位相が進んでいる場合には、垂直同期信号ＨＣｖの発生を遅らせ、逆に、同期調整信号ＳＡＳに対して垂直同期信号ＨＣｖの位相が遅れている場合には、垂直同期信号ＨＣｖの発生を進め、垂直同期信号ＨＣｖと同期調整信号ＳＡＳをある一定の位相差内（位相差許容範囲ＲＰＤ内）に抑えるよう制御を行う。
【０１５８】
以下、局部クロック生成手段１０を電圧制御発振器（ＶＣＸＯ）で構成した場合の周波数制御について説明する。電圧制御発振器（ＶＣＸＯ）は、印加する電圧を増減させることによって、内蔵する容量可変素子の容量を変化させ、結果として、局部クロック生成手段１０が生成する基準クロック（局部クロック）の発振周波数を調整することができ、配信装置ＴＡの基準クロックの周波数と一致させるよう制御を行うことが可能である。制御電圧が高いほど、基準クロックＬＣＫの周波数は高くなる。
【０１５９】
ただし、電圧制御発振器（ＶＣＸＯ）内の基準クロックの周波数は、電圧制御発振器（ＶＣＸＯ）に印加する制御電圧のアナログ値により制御されるため、電源ノイズや処理負荷による電圧降下により、絶えず変動している。また、上述したように、制御電圧を決定する同期調整信号ＳＡＳと垂直同期信号ＨＣｖの位相差についても、第１の表示器ＨＳ−１〜第Ｎの表示器ＨＳ−Ｎ毎の内部処理負荷状況により、同期調整信号ＳＡＳの生成にばらつきが発生し、そのままでは、安定した同期制御に適さないため、同期調整信号有効範囲ＶＬＤ外となった場合には、これに基づく周波数の変更（そのための制御電圧の変更）を行わない。この結果、基準クロックＬＣＫの周波数はそれまでと同じ値に維持される。
有効な制御ができない期間に周波数が大きく外れてしまわないように、電圧制御発振器（ＶＣＸＯ）に印加する制御電圧の上限値及び下限値を設定しておき、制御電圧が上限値よりも大きくなったり、下限値よりも小さくなったりするのを防止する。制御電圧が上限値のときの局部クロックの周波数を最高周波数、制御電圧が下限値のときの局部クロックを最低周波数という。
【０１６０】
電圧制御発振器（ＶＣＸＯ）の制御電圧が絶えず変動する中で安定動作を行うためには、
ＦＨｍｉｎ＜ＦＴｒｅｆ＜ＦＨｍａｘ      （Ｆ２０）
（但し、ＦＴｒｅｆは、配信装置ＴＡの基準クロックの周波数）
ＦＨｍｉｎは、局部クロック最低周波数、
ＦＨｍａｘは、局部クロック最高周波数。）
となるよう、内部処理（ソフトウェア処理やデータ転送処理）の負荷が軽い期間（同期調整信号ＳＡＳの生成処理時間のばらつきが少ない期間）、例えば、画像再生／更新処理前の一定期間を使って、制御電圧の最大値及び最小値、つまり、現在の条件下での準定常状態での制御電圧変動範囲を算出し、該最大値及び最小値に基づいて上限値及び下限値を設定しておく。その後、画像再生／更新処理により、内部処理（ソフトウェア処理やデータ転送処理）の負荷が重くなり、同期調整信号ＳＡＳの生成時間の遅延が無視できずに同期調整信号有効範囲ＶＬＤ外であり、同期調整信号ＳＡＳに対する垂直同期信号ＨＣｖの位相差を制御電圧の変更に反映させることができない（反映させるのが適切でない）期間がある場合にも、その間に大きく基準クロック（局部クロック）の周波数が外れないように、制御電圧を前記下限値から前記上限値までの範囲内に抑えることが可能である。
【０１６１】
制御電圧の上限値及び下限値の初期値は、表示装置の起動時における動作に基づいて定められる。
以下、表示装置に起動時の動作について説明する。
図２２（ａ）〜（ｄ）は、それぞれ同期調整データＳＡＤ、有効な同期調整信号ＳＡＳ、局部クロック制御信号ＬＣＫＣＳ（局部クロック手段１０が電圧制御発振器（ＶＣＸＯ）の場合には、制御電圧がこれに相当する）、同期調整信号ＳＡＳと垂直同期信号ＨＣｖとの位相差（ＤＩＦと記す）を示す。第ｎの表示装置ＨＳ−ｎの起動時刻が時刻Ｔ０、準安定状態に入った時刻が時刻Ｔ１、画像再生／更新処理レディ状態に入った時刻が時刻Ｔ２、画像再生／更新処理の開始時刻が時刻Ｔ３である。
【０１６２】
第ｎの表示装置ＨＳ−ｎの起動直後（時刻Ｔ０）、画像表示制御信号発生手段９２では、同期調整信号ＳＡＳにあわせて垂直同期信号ＨＣｖを出力する。したがって、時刻Ｔ０では、同期調整信号ＳＡＳと垂直同期信号ＨＣｖとの位相差はない。同時に、時刻Ｔ０で周期カウンタ９３も動作を開始し、周期Ｔ（Ｔは正の実数）でカウントを繰り返す。ここで、周期Ｔは同期調整データＳＡＤ（同期調整信号ＳＡＳ）の周期（として予め設定された固定値）に等しく設定する。
【０１６３】
局部クロック制御手段９４では、入力端子９７を介して入力される同期調整信号ＳＡＳを受信したときの周期カウンタ９３のカウント値ＣＴｓに基づき、局部クロック制御信号ＬＣＫＣＳを生成して、局部クロック手段１０に対して出力し、基準クロックＬＣＫの周波数を制御する。これは、図２０（ａ）〜（ｅ）、及び図２１（ａ）〜（ｅ）を用いて説明した同期調整信号ＳＡＳと垂直同期信号ＨＣｖとの位相差に基づく、局部クロック制御信号ＬＣＫＣＳの生成の方法と同様である。
【０１６４】
起動から一定時間後の時刻Ｔ１で、準安定状態になってからの一定時間（Ｔ１からＴ２までの時間）内で、局部クロック制御信号ＬＣＫＣＳの制御電圧の最大ＶＭＡＸ、及び最小値ＶＭＩＮを算出する。ここでいう準安定状態とは、同期調整信号ＳＡＳ受信毎の周期カウンタ９３のカウント値ＣＴｓの変化が一方的かつ連続的な上昇、或いは下降をやめ、ある一定範囲内（最小値から最大値までの範囲内）で変動し、ほぼ収束した状態を指しており、配信装置ＴＡの基準クロックから作られた同期調整データＳＡＤ（それから作られる同期調整信号ＳＡＳ）の周期と、当該表示装置ＨＳ−ｎの基準クロック（局部クロック）ＬＣＫから作られた周期Ｔ（基準クロックＬＣＫを数ＣＴｃ（周期Ｔに相当する値として予め設定された値）だけ計数することで得られる周期）との差が一定値以下に収まり、その結果、同期調整信号ＳＡＳと垂直同期信号ＨＣｖとの位相差（ＤＩＦ）がある一定値に収束したことを示す。これは、配信装置ＴＡと第ｎの表示装置ＨＳ−ｎとの基準クロックの差が一定範囲に収まり、同期がとれたことを意味する。したがって、時刻Ｔ２（収束が確認された時点）以降、配信装置ＴＡの基準クロックと同期した画像再生／更新処理が可能である。
【０１６５】
局部クロック制御手段９４では、時刻Ｔ２で、画像表示制御信号発生手段９２に対して、画像表示制御信号ＨＣを出力させるためのクロックレディ信号ＣＫＲＤＹを出力する。
なお、画像表示制御信号ＨＣの発生タイミング（位相）が時刻Ｔ２で切り換わっても問題なければ、それ以前にクロックレディ信号ＣＫＲＤＹの出力を開始してもよい。
【０１６６】
時刻Ｔ２以降、復号処理制御信号発生手段９１より、復号処理制御信号ＤＣＳを、出力端子９５を介して復号処理手段７２に出力し、復号処理を開始するとともに、画像表示制御信号発生手段９２に出力する。
【０１６７】
画像表示制御信号発生手段９２では、局部クロック制御手段９４から入力されたクロックレディ信号ＣＫＲＤＹにより、垂直同期信号ＨＣｖの発生タイミングを初期化し（同期調整信号ＳＡＳに同期させ）、同調調整信号ＳＡＳとの位相差を所定値以下に抑える。なお、必ずしも、垂直同期信号ＨＣｖの発生タイミングを初期化する必要はなく、初期化を行わなかった場合には、徐々に、同調調整信号ＳＡＳとの位相差を所定値以下に抑えていくことになる。
【０１６８】
時刻Ｔ３以降の画像再生／更新処理状態での動作については、図４（ａ）〜（ｇ）、及び図５（ａ）〜（ｇ）を用いて上述したとおりである。このとき、周期カウンタ９３は、周期Ｔ毎にリセットされ、局部クロックＬＣＫをカウントする。なお、図４（ａ）〜（ｇ）、及び図５（ａ）〜（ｇ）では、周期カウンタ９３の周期Ｔは垂直同期信号ＨＣｖの周期に等しいとしたが、これに限るものではない。一般的に言えば、周期カウンタ９３の周期Ｔを垂直同期信号ＨＣｖの周期のＭ倍（Ｍは正の整数）とし、該Ｍ倍の周期に１度調整を行うようにすればよい。
上記の処理により求めた最大値ＶＭＡＸ及び最小値ＶＭＩＮに基づいて上限値ＶＵＬ及び下限値ＶＬＬを設定する。例えば、上限値ＶＵＬ及び下限値ＶＬＬを最大値ＶＭＡＸ及び最小値ＶＭＩＮと等しくしても良く、若干の余裕を持たせた値（最大値ＶＭＡＸよりも余裕分だけ大きな値、最小値ＶＭＩＮよりも余裕分だけ小さな値）としても良い。
【０１６９】
次に、表示装置の起動処理終了後における制御電圧の上限値ＶＵＬ及び下限値ＶＬＬの更新処理について説明する。
局部クロック発生手段１０として、例えば、電圧制御発振器（ＶＣＸＯ）を使った場合に、温度変化、湿度変化、経年変化等で発振周波数が日々または時間的に変化する。そのため、第ｎの表示器ＨＳ−ｎ起動時に決定した上限値ＶＵＬ、及び下限値ＶＬＬを固定したままでは、長時間連続運用した場合に、式（Ｆ２０）を満足しなくなることがある。
【０１７０】
例えば、制御電圧が上限値ＶＵＬにあるとき、配信装置ＴＡの基準クロックに対して、第ｎの表示器ＨＳ−ｎの基準クロック（局部クロック）が遅く、局部クロックの周波数をさらに上げる必要がある場合に、制御電圧を上限値ＶＵＬよりも大きくすることができないと、同期調整信号に対する垂直同期信号ＨＣｖの遅れが次第に増加して、不等式（Ｆ１８）を満足する事態となり、その結果、同期調整信号ＳＡＳが無効と判断され、この状態が続くと、配信装置ＴＡと第ｎの表示装置ＨＳ−ｎとの間で同期がとれなくなる。そこで、一定回数以上連続して不等式（Ｆ１８）を満足する、従って一定時間以上連続して式（１８）を満たす場合には、上限値ＶＵＬを大きくする。これにより、局部クロック最高周波数を大きくし、式（Ｆ２０）を満たすことが可能である。
【０１７１】
同様に、制御電圧が下限値ＶＬＬにあるとき、配信装置ＴＡの基準クロックに対して、第ｎの表示器ＨＳ−ｎの基準クロック（局部クロック）が進んでおり、局部クロックの周波数をさらに下げる必要がある場合に、制御電圧を下限値ＶＬＬよりも小さくすることができないと、同期調整信号に対する垂直同期信号ＨＣｖの進みの程度が次第に増加して、不等式（Ｆ１９）を満足する事態となり、その結果、同期調整信号ＳＡＳが無効と判断され、この状態が続くと、配信装置ＴＡと第ｎの表示装置ＨＳ−ｎとの間で同期がとれなくなる。そこで、一定回数以上連続して不等式（Ｆ１９）を満足する、従って一定時間以上連続して式（１９）を満たす場合には、下限値ＶＬＬを小さくする。これにより、局部クロックの最低周波数を小さくし、式（Ｆ２０）を満たすことが可能である。
【０１７２】
以上のように、配信装置ＴＡの基準クロックに基づく同期調整データＳＡＤ（同期調整信号ＳＡＳ）の周期と、第ｎの表示装置ＨＳ−ｎの基準クロック（局部クロック）に基づく周期Ｔ（あるいは、垂直同期信号ＨＣｖの周期）との位相差に基づく処理により、配信装置ＴＡと第ｎの表示装置ＨＳ−ｎの基準クロックを一定の誤差範囲であわせることができ、配信装置ＴＡで生成された同期調整データＳＡＤのタイミングに対して、第ｎの表示装置ＨＳ−ｎの画面更新タイミング（垂直同期信号ＨＣｖ）を許容範囲ＲＰＤ内にあわせることできる。その結果、第１の表示装置ＨＳ−１〜第Ｎの表示装置ＨＳ−ｎの画面更新タイミングを許容範囲ＲＰＤ内にあわせることが可能である。
【０１７３】
また、第ｎの表示装置ＨＳ−ｎの内部処理負荷状況によって、同調調整信号ＳＡＳの生成に遅延が発生した場合にも、局部クロック制御手段９４にて、その同調調整信号ＳＡＳを無効として処理するため、（画面更新タイミングの）位相差を悪化させるようなことがない。
【０１７４】
さらに、局部クロック手段１０を制御する局部クロック制御信号ＬＣＫＣＳについて、制御電圧の最大値ＶＭＡＸ、及び最小値ＶＭＩＮを準安定状態の変動幅から算出して、該最大値及び最小値に基づいて上限値ＶＵＬ及び下限値ＶＬＬを設定するため、内部負荷によって同調調整信号ＳＡＳの生成に遅延が発生し、同調調整信号ＳＡＳを無効として処理した結果、局部クロックを制御できない期間が生じても、大きく（画面更新タイミングの）位相差を悪化させることがない。
【０１７５】
さらに、同期調整信号ＳＡＳが一定回数以上連続して所定の範囲内で入らない場合に、局部クロック手段１０を制御する局部クロック制御信号ＬＣＫＣＳの上限値ＶＵＬ又は下限値ＶＬＬ（上限値ＶＵＬ及び下限値ＶＬＬのうち、局部クロック制御信号ＬＣＫＣＳを制限しているもの）を変更するため、長時間連続運用時でも安定して同期を保つことができる。
【０１７６】
また、位相差許容範囲ＲＰＤは、ネットワークでの伝送遅延のばらつきを考慮して設定され、同期調整信号ＳＡＳが位相差許容範囲ＲＰＤ内にある場合には、局部クロック制御信号ＬＣＫＣＳの変更を行わないために、同期調整信号ＳＡＳによる局部クロックＬＣＫの過剰反応を防いだ安定動作を実現することができる。
【０１７７】
なお、実施の形態３でも、表示装置ＨＳ−ｎ内の同期調整信号生成手段６３において、同期調整データＳＡＤが供給される毎に（従って、フレーム毎に）、同期調整信号ＳＡＳが生成されるものとして記載したが、これに限るものではなく、同期調整データＳＡＤの供給よりも低い頻度で同期調整信号ＳＡＳを生成してもよい。
例えば、局部クロック生成手段１０を電圧制御発振器（ＶＣＸＯ）で構成した場合など、印加する制御電圧によって変更された局部クロックの周波数が安定するまでの時間を考慮して、同期調整信号ＳＡＳを低い頻度で生成してもよい。
例えば、同期調整データＳＡＤが２以上の所定回数供給される毎に同期調整信号ＳＡＳを生成することとしても良い。
【０１７８】
また、配信装置ＴＡ内のデータ生成手段３において、同期調整データＳＡＤをフレーム毎に生成せず、例えば複数フレーム毎に１回生成することとしても良く、また、データ配信手段４において、フレーム毎に配信せず、例えば複数フレーム毎に１回配信することとしても良い。複数フレームに１回配信される場合には、表示装置ＨＳ−ｎ内の同期調整信号生成手段６３において、複数フレームに１回配信される同期調整データＳＡＤから、フレーム毎の同期調整信号ＳＡＳを生成することとしても良い。
【０１７９】
さらにまた、同期調整信号ＳＡＳと垂直同期信号ＨＣｖの位相差の検出（及び検出結果に基づき垂直同期信号ＨＣｖの位相調整）を、垂直同期信号ＨＣｖの周期の複数倍で行っても良い。この垂直同期信号ＨＣｖの周期の複数倍は、垂直同期信号ＨＣｖよりも低い頻度で発生される同期調整信号ＳＡＳの周期であっても良い。
一般化して言えば、同期調整信号ＳＡＳと垂直同期信号ＨＣｖの位相差の検出は、は、垂直同期信号ＨＣｖの周期のＭ倍（Ｍは１以上の整数）で行えば良い。Ｍが２以上の場合には、Ｍ番目毎の垂直同期信号ＨＣｖと同期調整信号ＳＡＳとの位相差を検出することになる。
【０１８０】
例えば、垂直同期信号ＨＣｖの発生周期が１／３０秒である場合Ｍを３０とし、垂直同期信号ＨＣｖの発生周期が１／６０秒である場合Ｍを６０とすることで、同期調整信号ＳＡＳと垂直同期信号ＨＣｖの比較による位相差の検出、検出結果に基づく制御電圧の制御の周期を１秒とすることができる。
同期調整信号ＳＡＳの発生の周期が垂直同期信号ＨＣｖの発生の周期のＭ倍である場合、Ｍ番目毎の垂直同期信号ＨＣｖを同期調整信号ＳＡＳとの位相比較に用いる。
同期調整データＳＡＤの生成の周期を垂直同期信号ＨＣｖの発生の周期の複数倍とすることにより、配信装置ＴＡの基準クロックに基づく同期調整データＳＡＤの生成及び送信の処理、並びに第ｎの表示装置ＨＳ−ｎにおける、同期調整データＳＡＤの受信のための処理の頻度を少なくし、処理の負荷を軽減することができる。
また、同期調整信号ＳＡＳの周期を垂直同期信号ＨＣｖの周期の複数倍とすることにより、同期調整信号ＳＡＳの生成の処理、同期調整信号ＳＡＤと垂直同期信号ＨＣｖとの位相差の検出、検出結果に基づくクロック制御信号ＬＣＫＣＳの生成の処理の頻度を少なくし、処理の負荷を軽減することができる。
【０１８１】
また、画像再生／更新処理前と画像再生／更新処理レディ状態以降で、周期カウンタ９３の周期を変更しているが、必ずしも周期を変更する必要はなく、画像再生／更新処理レディ状態以前から内部的に垂直同期信号ＨＣｖを生成し、同期調整信号ＳＡＳとの位相差処理を行ってもよい。
【符号の説明】
【０１８２】
１  システム基準時計、  ２  記憶手段、  ３  データ生成手段、  ４  データ配信手段、  ５、５ａ、５ｂ  出力端子、  ６  データ受信手段、  ６ａ  画像データ受信手段、  ６ｂ  同期調整データ受信手段、  ７  画像再生／更新制御手段、  ８  画像表示手段、  ６１  バッファ制御手段、  ６２  受信バッファ、  ６３  同期調整信号生成手段、  ７１  制御信号発生手段、  ７２  復号処理手段、  ７３  メモリ制御手段、  ７４  メモリ、  ９０  制御信号発生手段、  ９１  復号処理制御信号発生手段、  ９２  画像表示制御信号発生手段、  ９３  周期カウンタ、  ９４  局部クロック制御手段、  ＴＡ  配信装置、  ＨＳ−１  第１の表示装置、  ＨＳ−ｎ  第ｎの表示装置、  ＨＳ−Ｎ  第Ｎの表示装置、  ＮＷ、ＮＷａ、ＮＷｂ  ネットワーク。
【図１】
2012077392.tif 000003
【図２】
2012077392.tif 000004
【図３】
2012077392.tif 000005
【図４】
2012077392.tif 000006
【図５】
2012077392.tif 000007
【図６】
2012077392.tif 000008
【図７】
2012077392.tif 000009
【図８】
2012077392.tif 000010
【図９】
2012077392.tif 000011
【図１０】
2012077392.tif 000012
【図１１】
2012077392.tif 000013
【図１２】
2012077392.tif 000014
【図１３】
2012077392.tif 000015
【図１４】
2012077392.tif 000016
【図１５】
2012077392.tif 000017
【図１６】
2012077392.tif 000018
【図１７】
2012077392.tif 000019
【図１８】
2012077392.tif 000020
【図１９】
2012077392.tif 000021
【図２０】
2012077392.tif 000022
【図２１】
2012077392.tif 000023
【図２２】
2012077392.tif 000024
【国際調査報告】
2012077392.tif 000025
2012077392.tif 000026
2012077392.tif 000027
2012077392.tif 000028